(57)【要約】ユーザ機器（ＵＥ）のフロントエンド受信機は、セルのセットを分離するために割り当てられた複数の変換演算を備えて構成される。セルからなる１つのセットは、ＵＥのサービス提供セルと、サービス提供セルの第１のオフセット範囲内の少なくとも１つの追加のセルとを含む。セルからなる別のセット（単数または複数）は、サービス提供セルの別のオフセット範囲内の追加の干渉元のセルを含む。セルからなる各セットの共通の周波数／タイミング・オフセットをトラッキングした後、そのセットのために割り当てられた変換演算が、時間領域サンプルを周波数領域シンボルに変換する。その後、セット内の各セルの個々の周波数／タイミング・オフセットが、トラッキングされる。
2013542687.tif 000002
【特許請求の範囲】
【請求項１】
ユーザ機器（ＵＥ）における無線通信の方法であって、
第１のセルのグループに対応する第１の共通オフセットをトラッキングすることと、
ここで、前記第１のセルのグループは、サービス提供セルと、前記サービス提供セルの第１の範囲内のオフセットを有する少なくとも１つのセルとを備える；
前記第１のセルのグループに割り当てられた第１の変換演算と前記オフセットを用いて、複数の時間領域サンプルを、第１の複数の周波数領域シンボルに変換することと；
前記第１のセルのグループ内の各セルの前記第１の複数の周波数領域シンボルの第１の個々のオフセットをトラッキングすることと；
第２のセルのグループに対応する第２の共通オフセットをトラッキングすることと、
ここで、前記第２のセルのグループは、前記サービス提供セルの第２の範囲内のオフセットを有する少なくとも１つのセルを備える；
前記第２のセルのグループに割り当てられた第２の変換演算と前記第２の範囲内のオフセットを用いて、前記複数の時間領域サンプルを、第２の複数の周波数領域シンボルに変換することと；
前記第２のセルのグループ内の各セルの前記第２の複数の周波数領域シンボルの第２の個々のオフセットをトラッキングすることと；
を備える方法。
【請求項２】
第３のセルのグループに対応する第３の共通オフセットをトラッキングすることと、ここで、前記第３のセルのグループは、前記サービス提供セルの第３の範囲内のオフセットを有する少なくとも１つのセルを備える；
前記第３のセルのグループに割り当てられた第３の変換演算と前記第３の範囲内のオフセットを用いて、前記複数の時間領域サンプルを、第３の複数の周波数領域シンボルに変換することと；
前記第３のセルのグループ内の各セルの前記第３の複数の周波数領域シンボルの第３の個々のオフセットをトラッキングすることと；
をさらに備える、請求項１に記載の方法。
【請求項３】
前記第１の範囲内のオフセットと、前記第２の範囲内のオフセットとが、タイミング・オフセットである、請求項１に記載の方法。
【請求項４】
前記第１の範囲内のオフセットと、前記第２の範囲内のオフセットとが、周波数オフセットである、請求項１に記載の方法。
【請求項５】
前記第１の複数の周波数領域シンボルと、前記第２の複数の周波数領域シンボルとを処理すること、をさらに備える請求項１に記載の方法。
【請求項６】
前記処理することは、
前記第１の複数の周波数領域シンボルと、前記第２の複数の周波数領域シンボルとのチャネルを推定することと、
前記第１の複数の周波数領域シンボルと、前記第２の複数の周波数領域シンボルと復調することと、
前記第１の複数の周波数領域シンボルと、前記第２の複数の周波数領域シンボルとを復号することと、
のうちの１または複数を備える、請求項５に記載の方法。
【請求項７】
前記トラッキングされた第１の共通オフセットにしたがって、前記複数の時間領域サンプルを調節することと、
前記トラッキングされた第２の共通オフセットにしたがって、前記複数の時間領域サンプルを調節することと、
前記第１のセルのグループにおけるセルのおのおのについて、前記トラッキングされた第１の個々のオフセットにしたがって、前記第１の複数の周波数領域シンボルを調節することと、
前記第２のセルのグループにおけるセルのおのおのについて、前記トラッキングされた第２の個々のオフセットにしたがって、前記第２の複数の周波数領域シンボルを調節することと、
をさらに備える請求項１に記載の方法。
【請求項８】
第１の変換クラスタに干渉除去を適用することと、ここで、前記第１の変換クラスタは、前記第１のセルのグループの前記第１の複数の周波数領域シンボルと、前記複数の時間領域サンプルとを備える；
第２の変換クラスタに干渉除去を適用することと、ここで、前記第２の変換クラスタは、前記第２のセルのグループの前記第１の複数の周波数領域シンボルと、前記複数の時間領域サンプルとを備える；
をさらに備える請求項１に記載の方法。
【請求項９】
前記第１の変換クラスタと前記第２の変換クラスタとの除去順序を決定すること、をさらに備える請求項８に記載の方法。
【請求項１０】
クラスタのサブセットのために、時間領域干渉除去を適用することをさらに備え、
前記クラスタのサブセットは、
前記第１の変換クラスタの前記第１の複数の周波数領域シンボルと前記複数の時間領域サンプルとのうちの１または複数からの少なくとも１つの信号と、
前記第２の変換クラスタの前記第２の複数の周波数領域シンボルと前記複数の時間領域サンプルとのうちの１または複数からの少なくとも１つの信号と、
のうちのサブセットを備える、請求項８に記載の方法。
【請求項１１】
クラスタのサブセットのために、周波数領域干渉除去を適用することをさらに備え、
前記クラスタのサブセットは、
前記第１の変換クラスタの前記第１の複数の周波数領域シンボルと前記複数の時間領域サンプルとのうちの１または複数からの少なくとも１つの信号と、
前記第２の変換クラスタの前記第２の複数の周波数領域シンボルと前記複数の時間領域サンプルとのうちの１または複数からの少なくとも１つの信号と、
のうちのサブセットを備える、請求項８に記載の方法。
【請求項１２】
変換クラスタの総数は、前記ＵＥの範囲内の複数のセルの相対的なタイミング／周波数オフセットと、前記複数のセルの相対的な信号強度と、前記サービス提供セルの位置とのうちの１または複数によって決定される、請求項８に記載の方法。
【請求項１３】
前記変換クラスタの総数は、異なるサブフレームにわたって動的に調節される、請求項１２に記載の方法。
【請求項１４】
前記第１の変換クラスタと前記第２の変換クラスタとのおのおのの間で干渉除去を反復的に適用すること、をさらに備える請求項８に記載の方法。
【請求項１５】
前記第１の変換クラスタと前記第２の変換クラスタとのうちの１つは、時間領域干渉除去を用いる、請求項１４に記載の方法。
【請求項１６】
前記時間領域干渉除去が用いられた後、前記第１の変換クラスタと前記第２の変換クラスタとのうちの別の１つが周波数領域干渉除去を用いる、請求項１５に記載の方法。
【請求項１７】
無線通信のために構成されたユーザ機器（ＵＥ）であって、
第１のセルのグループに対応する第１の共通オフセットをトラッキングする手段と、ここで、前記第１のセルのグループは、サービス提供セルと、前記サービス提供セルの第１の範囲内のオフセットを有する少なくとも１つのセルとを備える；
前記第１のセルのグループに割り当てられた第１の変換演算と前記オフセットを用いて、複数の時間領域サンプルを、第１の複数の周波数領域シンボルに変換する手段と；
前記第１のセルのグループ内の各セルの前記第１の複数の周波数領域シンボルの第１の個々のオフセットをトラッキングする手段と；
第２のセルのグループに対応する第２の共通オフセットをトラッキングする手段と、ここで、前記第２のセルのグループは、前記サービス提供セルの第２の範囲内のオフセットを有する少なくとも１つのセルを備える；
前記第２のセルのグループに割り当てられた第２の変換演算と前記第２の範囲内のオフセットを用いて、前記複数の時間領域サンプルを、第２の複数の周波数領域シンボルに変換する手段と；
前記第２のセルのグループ内の各セルの前記第２の複数の周波数領域シンボルの第２の個々のオフセットをトラッキングする手段と；
を備えるユーザ機器。
【請求項１８】
第３のセルのグループに対応する第３の共通オフセットをトラッキングする手段と、ここで、前記第３のセルのグループは、前記サービス提供セルの第３の範囲内のオフセットを有する少なくとも１つのセルを備える；
前記第３のセルのグループに割り当てられた第３の変換演算と前記第３の範囲内のオフセットを用いて、前記複数の時間領域サンプルを、第３の複数の周波数領域シンボルに変換する手段と；
前記第３のセルのグループ内の各セルの前記第３の複数の周波数領域シンボルの第３の個々のオフセットをトラッキングする手段と；
をさらに備える請求項１７に記載のユーザ機器。
【請求項１９】
前記第１の範囲内のオフセットと、前記第２の範囲内のオフセットとが、タイミング・オフセットである、請求項１７に記載のユーザ機器。
【請求項２０】
前記第１の範囲内のオフセットと、前記第２の範囲内のオフセットとが、周波数オフセットである、請求項１７に記載のユーザ機器。
【請求項２１】
前記第１の複数の周波数領域シンボルと、前記第２の複数の周波数領域シンボルとを処理する手段、をさらに備える請求項１７に記載のユーザ機器。
【請求項２２】
前記トラッキングされた第１の共通オフセットにしたがって、前記複数の時間領域サンプルを調節する手段と、
前記トラッキングされた第２の共通オフセットにしたがって、前記複数の時間領域サンプルを調節する手段と、
前記第１のセルのグループにおけるセルのおのおのについて、前記トラッキングされた第１の個々のオフセットにしたがって、前記第１の複数の周波数領域シンボルを調節する手段と、
前記第２のセルのグループにおけるセルのおのおのについて、前記トラッキングされた第２の個々のオフセットにしたがって、前記第２の複数の周波数領域シンボルを調節する手段と、
をさらに備える請求項１７に記載のユーザ機器。
【請求項２３】
第１の変換クラスタに干渉除去を適用する手段と、ここで、前記第１の変換クラスタは、前記第１のセルのグループの前記第１の複数の周波数領域シンボルと、前記複数の時間領域サンプルとを備える；
第２の変換クラスタに干渉除去を適用する手段と、ここで、前記第２の変換クラスタは、前記第２のセルのグループの前記第１の複数の周波数領域シンボルと、前記複数の時間領域サンプルとを備える；
をさらに備える請求項１７に記載のユーザ機器。
【請求項２４】
無線ネットワークにおけるユーザ機器（ＵＥ）による無線通信のためのコンピュータ・プログラム製品であって、
記録されたプログラム・コードを有する非一時的なコンピュータ読取可能な媒体を備え、前記プログラム・コードは、
第１のセルのグループに対応する第１の共通オフセットをトラッキングするためのプログラム・コードと、ここで、前記第１のセルのグループは、サービス提供セルと、前記サービス提供セルの第１の範囲内のオフセットを有する少なくとも１つのセルとを備える；
前記第１のセルのグループに割り当てられた第１の変換演算と前記オフセットを用いて、複数の時間領域サンプルを、第１の複数の周波数領域シンボルに変換するためのプログラム・コードと；
前記第１のセルのグループ内の各セルの前記第１の複数の周波数領域シンボルの第１の個々のオフセットをトラッキングするためのプログラム・コードと；
第２のセルのグループに対応する第２の共通オフセットをトラッキングするためのプログラム・コードと、ここで、前記第２のセルのグループは、前記サービス提供セルの第２の範囲内のオフセットを有する少なくとも１つのセルを備える；
前記第２のセルのグループに割り当てられた第２の変換演算と前記第２の範囲内のオフセットを用いて、前記複数の時間領域サンプルを、第２の複数の周波数領域シンボルに変換するためのプログラム・コードと；
前記第２のセルのグループ内の各セルの前記第２の複数の周波数領域シンボルの第２の個々のオフセットをトラッキングするためのプログラム・コードと；
を備える、コンピュータ・プログラム製品。
【請求項２５】
第３のセルのグループに対応する第３の共通オフセットをトラッキングするためのプログラム・コードと、ここで、前記第３のセルのグループは、前記サービス提供セルの第３の範囲内のオフセットを有する少なくとも１つのセルを備える；
前記第３のセルのグループに割り当てられた第３の変換演算と前記第３の範囲内のオフセットを用いて、前記複数の時間領域サンプルを、第３の複数の周波数領域シンボルに変換するためのプログラム・コードと；
前記第３のセルのグループ内の各セルの前記第３の複数の周波数領域シンボルの第３の個々のオフセットをトラッキングするためのプログラム・コードと；
をさらに備える、請求項２４に記載のコンピュータ・プログラム製品。
【請求項２６】
前記第１の範囲内のオフセットと、前記第２の範囲内のオフセットとが、タイミング・オフセットである、請求項２４に記載のコンピュータ・プログラム製品。
【請求項２７】
前記第１の範囲内のオフセットと、前記第２の範囲内のオフセットとが、周波数オフセットである、請求項２４に記載のコンピュータ・プログラム製品。
【請求項２８】
前記第１の複数の周波数領域シンボルと、前記第２の複数の周波数領域シンボルとを処理するためのプログラム・コードをさらに備える、請求項２４に記載のコンピュータ・プログラム製品。
【請求項２９】
前記トラッキングされた第１の共通オフセットにしたがって、前記複数の時間領域サンプルを調節するためのプログラム・コードと、
前記トラッキングされた第２の共通オフセットにしたがって、前記複数の時間領域サンプルを調節するためのプログラム・コードと、
前記第１のセルのグループにおけるセルのおのおのについて実行可能であり、前記トラッキングされた第１の個々のオフセットにしたがって、前記第１の複数の周波数領域シンボルを調節するためのプログラム・コードと、
前記第２のセルのグループにおけるセルのおのおのについて実行可能であり、前記トラッキングされた第２の個々のオフセットにしたがって、前記第２の複数の周波数領域シンボルを調節するためのプログラム・コードと
をさらに備える、請求項２４に記載のコンピュータ・プログラム製品。
【請求項３０】
第１の変換クラスタに干渉除去を適用するためのプログラム・コードと、ここで、前記第１の変換クラスタは、前記第１のセルのグループの前記第１の複数の周波数領域シンボルと、前記複数の時間領域サンプルとを備える；
第２の変換クラスタに干渉除去を適用するためのプログラム・コードと、ここで、前記第２の変換クラスタは、前記第２のセルのグループの前記第１の複数の周波数領域シンボルと、前記複数の時間領域サンプルとを備える；
をさらに備える、請求項２４に記載のコンピュータ・プログラム製品。
【請求項３１】
無線通信のために構成されたユーザ機器（ＵＥ）であって、
少なくとも１つのプロセッサと、
前記少なくとも１つのプロセッサに接続されたメモリとを備え、
前記少なくとも１つのプロセッサは、
第１のセルのグループに対応する第１の共通オフセットをトラッキングし、ここで、前記第１のセルのグループは、サービス提供セルと、前記サービス提供セルの第１の範囲内のオフセットを有する少なくとも１つのセルとを備える；
前記第１のセルのグループに割り当てられた第１の変換演算と前記オフセットを用いて、複数の時間領域サンプルを、第１の複数の周波数領域シンボルに変換し；
前記第１のセルのグループ内の各セルの前記第１の複数の周波数領域シンボルの第１の個々のオフセットをトラッキングし；
第２のセルのグループに対応する第２の共通オフセットをトラッキングし、ここで、前記第２のセルのグループは、前記サービス提供セルの第２の範囲内のオフセットを有する少なくとも１つのセルを備える；
前記第２のセルのグループに割り当てられた第２の変換演算と前記第２の範囲内のオフセットを用いて、前記複数の時間領域サンプルを、第２の複数の周波数領域シンボルに変換し；
前記第２のセルのグループ内の各セルの前記第２の複数の周波数領域シンボルの第２の個々のオフセットをトラッキングする；
ように構成された、ユーザ機器。
【請求項３２】
前記少なくとも１つのプロセッサはさらに、
第３のセルのグループに対応する第３の共通オフセットをトラッキングし、ここで、前記第３のセルのグループは、前記サービス提供セルの第３の範囲内のオフセットを有する少なくとも１つのセルを備える；
前記第３のセルのグループに割り当てられた第３の変換演算と前記第３の範囲内のオフセットを用いて、前記複数の時間領域サンプルを、第３の複数の周波数領域シンボルに変換し；
前記第３のセルのグループ内の各セルの前記第３の複数の周波数領域シンボルの第３の個々のオフセットをトラッキングする；
ように構成された、請求項３１に記載のユーザ機器。
【請求項３３】
前記第１の範囲内のオフセットと、前記第２の範囲内のオフセットとが、タイミング・オフセットである、請求項３１に記載のユーザ機器。
【請求項３４】
前記第１の範囲内のオフセットと、前記第２の範囲内のオフセットとが、周波数オフセットである、請求項３１に記載のユーザ機器。
【請求項３５】
前記少なくとも１つのプロセッサはさらに、前記第１の複数の周波数領域シンボルと、前記第２の複数の周波数領域シンボルとを処理するように構成された、請求項３１に記載のユーザ機器。
【請求項３６】
前記処理することは、
前記第１の複数の周波数領域シンボルと、前記第２の複数の周波数領域シンボルとのチャネルを推定することと、
前記第１の複数の周波数領域シンボルと、前記第２の複数の周波数領域シンボルとを復調することと、
前記第１の複数の周波数領域シンボルと、前記第２の複数の周波数領域シンボルとを復号することと、
のうちの１または複数を備える、請求項３５に記載のユーザ機器。
【請求項３７】
前記少なくとも１つのプロセッサはさらに、
前記トラッキングされた第１の共通オフセットにしたがって、前記複数の時間領域サンプルを調節し、
前記トラッキングされた第２の共通オフセットにしたがって、前記複数の時間領域サンプルを調節し、
前記第１のセルのグループにおけるセルのおのおのについて、前記トラッキングされた第１の個々のオフセットにしたがって、前記第１の複数の周波数領域シンボルを調節し、
前記第２のセルのグループにおけるセルのおのおのについて、前記トラッキングされた第２の個々のオフセットにしたがって、前記第２の複数の周波数領域シンボルを調節する
ように構成された、請求項３１に記載のユーザ機器。
【請求項３８】
前記少なくとも１つのプロセッサはさらに、
第１の変換クラスタに干渉除去を適用し、ここで、前記第１の変換クラスタは、前記第１のセルのグループの前記第１の複数の周波数領域シンボルと、前記複数の時間領域サンプルとを備える；
第２の変換クラスタに干渉除去を適用する、ここで、前記第２の変換クラスタは、前記第２のセルのグループの前記第１の複数の周波数領域シンボルと、前記複数の時間領域サンプルとを備える；
ように構成された、請求項３１に記載のユーザ機器。
【請求項３９】
前記少なくとも１つのプロセッサはさらに、前記第１の変換クラスタと前記第２の変換クラスタとの除去順序を決定するように構成された、請求項３８に記載のユーザ機器。
【請求項４０】
前記少なくとも１つのプロセッサはさらに、クラスタのサブセットのために、時間領域干渉除去を適用するように構成され、
前記クラスタのサブセットは、
前記第１の変換クラスタの前記第１の複数の周波数領域シンボルと前記複数の時間領域サンプルとのうちの１または複数からの少なくとも１つの信号と、
前記第２の変換クラスタの前記第２の複数の周波数領域シンボルと前記複数の時間領域サンプルとのうちの１または複数からの少なくとも１つの信号と、
のサブセットを備える、請求項３８に記載のユーザ機器。
【請求項４１】
前記少なくとも１つのプロセッサはさらに、クラスタのサブセットのために、周波数領域干渉除去を適用するように構成され、
前記クラスタのサブセットは、
前記第１の変換クラスタの前記第１の複数の周波数領域シンボルと前記複数の時間領域サンプルとのうちの１または複数からの少なくとも１つの信号と、
前記第２の変換クラスタの前記第２の複数の周波数領域シンボルと前記複数の時間領域サンプルとのうちの１または複数からの少なくとも１つの信号と、
のサブセットを備える、請求項３８に記載のユーザ機器。
【請求項４２】
変換クラスタの総数は、前記ＵＥの範囲内の複数のセルの相対的なタイミング／周波数オフセットと、前記複数のセルの相対的な信号強度と、前記サービス提供セルの位置とのうちの１または複数によって決定される、請求項３８に記載のユーザ機器。
【請求項４３】
前記変換クラスタの総数は、異なるサブフレームにわたって動的に調節される、請求項４２に記載のユーザ機器。
【請求項４４】
前記少なくとも１つのプロセッサはさらに、前記第１の変換クラスタと前記第２の変換クラスタとのおのおのの間で干渉除去を反復的に適用するように構成される、請求項８に記載のユーザ機器。
【請求項４５】
前記第１の変換クラスタと前記第２の変換クラスタとのうちの１つは、時間領域干渉除去を用いる、請求項４４に記載のユーザ機器。
【請求項４６】
前記時間領域干渉除去が用いられた後、前記第１の変換クラスタと前記第２の変換クラスタとのうちの別の１つが、周波数領域干渉除去を用いる、請求項４５に記載のユーザ機器。
【発明の詳細な説明】
【優先権の主張】
【０００１】
本願は、全体が本明細書において参照によって明確に組み込まれている２０１０年１０月２９日出願の「無線受信機における複数信号変換」（MULTIPLE SIGNAL TRANSFORMATION IN WIRELESS RECEIVERS）と題された米国仮出願６１／４０８，４７８号の利益を主張する。
【技術分野】
【０００２】
本開示の態様は、一般に、無線通信システムに関し、さらに詳しくは、無線受信機における複数信号変換に関する。
【背景技術】
【０００３】
無線通信ネットワークは、例えば音声、ビデオ、パケット・データ、メッセージング、ブロードキャスト等のようなさまざまな通信サービスを提供するために広く配置されている。これら無線ネットワークは、利用可能なネットワーク・リソースを共有することにより、複数のユーザをサポートすることができる多元接続ネットワークでありうる。通常は多元接続ネットワークであるこのようなネットワークは、利用可能なネットワーク・リソースを共有することによって、複数のユーザのための通信をサポートする。このようなネットワークの１つの例は、ユニバーサル地上ラジオ・アクセス・ネットワーク（ＵＴＲＡＮ）である。ＵＴＲＡＮは、第３世代パートナシップ計画（３ＧＰＰ）によってサポートされている第３世代（３Ｇ）モバイル電話技術である、ユニバーサル・モバイル・テレコミュニケーション・システム（ＵＭＴＳ）の一部として定義されているラジオ・アクセス・ネットワーク（ＲＡＮ）である。このような多元接続ネットワーク・フォーマットの例は、符号分割多元接続（ＣＤＭＡ）ネットワーク、時分割多元接続（ＴＤＭＡ）ネットワーク、周波数分割多元接続（ＦＤＭＡ）ネットワーク、直交ＦＤＭＡ（ＯＦＤＭＡ）ネットワーク、およびシングル・キャリアＦＤＭＡ（ＳＣ−ＦＤＭＡ）ネットワークを含む。
【０００４】
無線通信ネットワークは、多くのユーザ機器（ＵＥ）のための通信をサポートしうる多くの基地局またはノードＢを含みうる。ＵＥは、ダウンリンクおよびアップリンクによって基地局と通信しうる。ダウンリンク（すなわち順方向リンク）は、基地局からＵＥへの通信リンクを称し、アップリンク（すなわち逆方向リンク）は、ＵＥから基地局への通信リンクを称する。
【０００５】
基地局は、ダウンリンクでＵＥへデータおよび制御情報を送信し、および／または、アップリンクでＵＥからデータおよび制御情報を受信しうる。ダウンリンクでは、基地局からの送信が、近隣の基地局からの、または、その他の無線ラジオ周波数（ＲＦ）送信機からの送信による干渉と遭遇しうる。アップリンクでは、ＵＥからの送信が、近隣の基地局と通信する別のＵＥのアップリンク送信からの、または、別の無線ＲＦ送信機からの干渉と遭遇しうる。この干渉は、ダウンリンクとアップリンクとの両方のパフォーマンスを低下させうる。
【０００６】
モバイル・ブロードバンド・アクセスに対する需要が増加し続けると、ＵＥが長距離無線通信ネットワークにアクセスすることや、短距離無線システムがコミュニティにおいて展開されることとともに、干渉および混雑したネットワークの可能性が高まる。研究開発は、モバイル・ブロードバンド・アクセスのための増加する需要を満たすためのみならず、モバイル通信とのユーザ経験を進化および向上させるために、ＵＭＴＳ技術を進化させ続けている。
【発明の概要】
【０００７】
本開示のさまざまな代表的な態様は、無線受信機における複数の信号の変換に向けられる。ＵＥは、生の無線信号を受信した場合、この信号に対していくつかの演算を実行し、最終的には、この受信した信号から、意図された情報を収集しうる。ＵＥのフロントエンドでは、信号が、アナログ・デジタル変換器（ＡＤＣ）によってアナログからデジタルに変換され、サンプルされ、オフセット調節され、周波数領域に変換され、その後、チャネル推定、復調、復号等のために処理される。このフロントエンド動作は、多くのＵＥ受信機にわたって類似している。しかしながら、一般的なヘテロジニアス・ネットワークのためのフロントエンド処理は、恐らく、ヘテロジニアス・ネットワークにおいて効率的に動作しないだろう。
【０００８】
ヘテロジニアス・ネットワークで動作する場合、周波数またはタイミング・オフセット・トラッキングは、信号／セルのすべての合計のための周波数／タイミング・オフセットが、チップ／サンプル・レベルにおいてトラッキングされる共通部分と、各セルの周波数／タイミング・オフセットがシンボル・レベルにおいて個別にトラッキングされる個別部分と、の２つの部分に分割される。例えば、ＬＴＥ−Ａヘテロジニアス・ネットワークでは、個々の周波数／タイミング・トラッキングは、各セル信号のＯＦＤＭシンボル・レベルにおいて実行される。時間領域サンプルのオフセットは、共通の周波数／タイミング・トラッキング・モジュールにおいて共通してトラッキングされる。チップ／サンプル・レベルのトラッキングは、複数のセルからの信号の合計に対して実行されるので、トラッキングされたオフセットは、ヘテロジニアス・ネットワークにおいて常にサービス提供セルであるとは限らない最も強いセルをトラッキングする傾向にある。
【０００９】
オフセット調節が実行された後、シリアル・パラレル（Ｓ／Ｐ）高速フーリエ変換（ＦＦＴ）モジュールは、時間領域サンプルを、シリアルからパラレルへ変換し、これらを周波数領域に変換する。その後、信号が受信されたセルのおのおのの信号について、個々の周波数／タイミング・トラッキングを実行するために、ＵＥにおいて、フロントエンドの動作が分割される。セルのおのおのからの信号は、個々の周波数／タイミング・トラッキング・モジュールによって、シンボル・レベルにおいて個別にトラッキングされる。検出された個々のオフセットに基づいて、受信信号に対して、さらなる調節がなされうる。信号処理モジュールは、チャネル推定、復調、復号等のために周波数領域信号を処理し、その後、これら信号は、ＵＥによるさらなる処理のために、ＵＥフロントエンドの外部で利用可能になるであろう。
【００１０】
本開示の１つの態様では、ＵＥにおける無線通信の方法は、第１のセルのグループに対応する第１の共通オフセットをトラッキングすることと、ここで、第１のセルのグループは、サービス提供セルと、サービス提供セルの第１の範囲内のオフセットを有する少なくとも１つのセルとを含む；第１のセルのグループに割り当てられた第１の変換演算とオフセットを用いて、複数の時間領域サンプルを、第１の数の周波数領域シンボルに変換することと；を含む。この方法はさらに、第１のセルのグループ内の各セルの第１の数の周波数領域シンボルの第１の個々のオフセットをトラッキングすることと；第２のセルのグループに対応する第２の共通オフセットをトラッキングすることと、ここで、第２のセルのグループは、サービス提供セルの第２の範囲内のオフセットを有する少なくとも１つのセルとを含む；第２のセルのグループに割り当てられた第２の変換演算と第２のオフセットを用いて、時間領域サンプルを、第２の数の周波数領域シンボルに変換することと；第２のセルのグループ内の各セルの第２の数の周波数領域シンボルの第２の個々のオフセットをトラッキングすることと；を含む。
【００１１】
本開示のさらなる態様では、無線通信のために構成されたＵＥが提供される。このＵＥは、第１のセルのグループに対応する第１の共通オフセットをトラッキングする手段と、ここで、第１のセルのグループは、サービス提供セルと、サービス提供セルの第１の範囲内のオフセットを有する少なくとも１つのセルとを含む；第１のセルのグループに割り当てられた第１の変換演算とオフセットを用いて、複数の時間領域サンプルを、第１の数の周波数領域シンボルに変換する手段と；を含む。ＵＥはまた、第１のセルのグループ内の各セルの第１の数の周波数領域シンボルの第１の個々のオフセットをトラッキングする手段と；第２のセルのグループに対応する第２の共通オフセットをトラッキングする手段と、ここで、第２のセルのグループは、サービス提供セルの第２の範囲内のオフセットを有する少なくとも１つのセルとを含む；第２のセルのグループに割り当てられた第２の変換演算と第２のオフセットを用いて、時間領域サンプルを、第２の数の周波数領域シンボルに変換する手段と；第２のセルのグループ内の各セルの第２の数の周波数領域シンボルの第２の個々のオフセットをトラッキングする手段と；を含む。
【００１２】
本開示のさらなる態様では、コンピュータ・プログラム製品が、記録されたプログラム・コードを有するコンピュータ読取可能な媒体を有する。このプログラム・コードは、第１のセルのグループに対応する第１の共通オフセットをトラッキングするためのコードと、ここで、第１のセルのグループは、サービス提供セルと、サービス提供セルの第１の範囲内のオフセットを有する少なくとも１つのセルとを含む；第１のセルのグループに割り当てられた第１の変換演算とオフセットを用いて、複数の時間領域サンプルを、第１の数の周波数領域シンボルに変換するためのコードと；第１のセルのグループ内の各セルの第１の数の周波数領域シンボルの第１の個々のオフセットをトラッキングするためのコードと；第２のセルのグループに対応する第２の共通オフセットをトラッキングするためのコードと、ここで、第２のセルのグループは、サービス提供セルの第２の範囲内のオフセットを有する少なくとも１つのセルとを含む；第２のセルのグループに割り当てられた第２の変換演算と第２のオフセットを用いて、時間領域サンプルを、第２の数の周波数領域シンボルに変換するためのコードと；第２のセルのグループ内の各セルの第２の数の周波数領域シンボルの第２の個々のオフセットをトラッキングするためのコードと；を含む。
【００１３】
本開示のさらなる態様では、装置は、少なくとも１つのプロセッサと、このプロセッサに接続されたメモリとを含む。このプロセッサは、第１のセルのグループに対応する第１の共通オフセットをトラッキングするように構成され、ここで、第１のセルのグループは、サービス提供セルと、サービス提供セルの第１の範囲内のオフセットを有する少なくとも１つのセルとを備える。このプロセッサはさらに、第１のセルのグループに割り当てられた第１の変換演算とオフセットを用いて、複数の時間領域サンプルを、第１の数の周波数領域シンボルに変換し；第１のセルのグループ内の各セルの第１の数の周波数領域シンボルの第１の個々のオフセットをトラッキングし；第２のセルのグループに対応する第２の共通オフセットをトラッキングし、ここで、第２のセルのグループは、サービス提供セルの第２の範囲内のオフセットを有する少なくとも１つのセルとを含む；第２のセルのグループに割り当てられた第２の変換演算と第２のオフセットを用いて、時間領域サンプルを、第２の数の周波数領域シンボルに変換し、第２のセルのグループ内の各セルの第２の数の周波数領域シンボルの第２の個々のオフセットをトラッキングする；ように構成される。
【図面の簡単な説明】
【００１４】
【図１】図１は、モバイル通信システムの例を概念的に例示するブロック図である。
【図２】図２は、モバイル通信システムにおけるダウンリンク・フレーム構造の一例を概念的に例示するブロック図である。
【図３】図３は、アップリンクＬＴＥ／−Ａ通信における典型的なフレーム構造を概念的に例示するブロック図である。
【図４】図４は、本開示の１つの態様にしたがって構成された基地局／ｅＮＢとＵＥとの設計を概念的に例示するブロック図である。
【図５】図５は、ホモジニアス無線ネットワークのために構成されたＵＥのフロントエンドを例示する概念的なブロック図である。
【図６】図６は、ヘテロジニアス・ネットワークのために構成されたＵＥのフロントエンドを例示する概念的なブロック図である。
【図７】図７は、ヘテロジニアス・ネットワークにおけるＵＥのために本開示の１つの態様にしたがって構成されたフロントエンドを例示する概念的なブロック図である。
【図８】図８は、ヘテロジニアス・ネットワークにおけるＵＥのために本開示の１つの態様にしたがって構成されたフロントエンドを例示する概念的なブロック図である。
【図９】図９は、本開示の１つの態様を実施するように実行されるブロックの例を例示する機能ブロック図である。
【図１０】図１０は、本開示の１つの態様にしたがって構成されたＵＥの概念的なブロック図である。
【図１１】図１１は、時間軸で受信されたＦＦＴシンボルを概念的に例示するグラフである。
【図１２】図１２は、周波数軸で受信されたＦＦＴシンボルを概念的に例示するグラフである。
【図１３】図１３は、サイクリック・プレフィクス（ＣＰ）軸でｅＮＢから受信された信号を概念的に例示するグラフである。
【図１４】図１４は、本開示の１つの態様にしたがって構成されたＵＥを例示する概念的なブロック図である。
【発明を実施するための形態】
【００１５】
添付図面とともに以下に説明する詳細説明は、さまざまな構成の説明として意図されており、本明細書に記載された概念が実現される唯一の構成を表すことは意図されていない。この詳細説明は、さまざまな概念の完全な理解を提供することを目的とした具体的な詳細を含んでいる。しかしながら、これらの概念は、これら具体的な詳細無しで実現されうることが当業者に明らかになるであろう。いくつかの事例では、周知の構成および構成要素が、このような概念を曖昧にすることを避けるために、ブロック図形式で示されている。
【００１６】
本明細書に記載された技術は、例えばＣＤＭＡ、ＴＤＭＡ、ＦＤＭＡ、ＯＦＤＭＡ、ＳＣ−ＦＤＭＡ、およびその他のネットワークのようなさまざまな無線通信ネットワークのために使用されうる。用語「ネットワーク」および「システム」は、しばしば置換可能に使用される。ＣＤＭＡネットワークは、例えば、ユニバーサル地上ラジオ・アクセス（ＵＴＲＡ）、テレコミュニケーション・インダストリ・アソシエーション（ＴＩＡ）のｃｄｍａ２０００（登録商標）等のようなラジオ技術を実現しうる。ＵＴＲＡ技術は、広帯域ＣＤＭＡ（ＷＣＤＭＡ（登録商標））、およびＣＤＭＡのその他の変形を含んでいる。ＴＤＭＡネットワークは、例えばグローバル移動体通信システム（ＧＳＭ（登録商標））のようなラジオ技術を実現しうる。ＯＦＤＭＡネットワークは、例えば、イボルブドＵＴＲＡ（Ｅ−ＵＴＲＡ）、ウルトラ・モバイル・ブロードバンド（ＵＭＢ）、ＩＥＥＥ  ８０２．１１（Ｗｉ−Ｆｉ）、ＩＥＥＥ  ８０２．１６（ＷｉＭＡＸ）、ＩＥＥＥ  ８０２．２０、Ｆｌａｓｈ−ＯＦＤＭ（登録商標）等のようなラジオ技術を実現しうる。ＵＴＲＡ技術およびＥ−ＵＴＲＡ技術は、ユニバーサル・モバイル・テレコミュニケーション・システム（ＵＭＴＳ）の一部である。３ＧＰＰロング・ターム・イボリューション（ＬＴＥ）およびＬＴＥ−アドバンスト（ＬＴＥ−Ａ）は、Ｅ−ＵＴＲＡを使用するＵＭＴＳの新たなリリースである。ＵＴＲＡ、Ｅ−ＵＴＲＡ、ＵＭＴＳ、ＬＴＥ、ＬＴＥ−Ａ、およびＧＳＭは、「第３世代パートシップ計画」（３ＧＰＰ）と呼ばれる団体からの文書に記載されている。ＣＤＭＡ２０００およびＵＭＢは、「第３世代パートナシップ計画２」（３ＧＰＰ２）と呼ばれる団体からの文書に記載されている。本明細書で記載された技術は、他の無線ネットワークおよびラジオ・アクセス技術のみならず、前述された無線ネットワークおよびラジオ・アクセス技術のためにも使用されうる。明確化のために、これら技術のある態様は、以下において、ＬＴＥまたはＬＴＥ−Ａ（代わりに、これらはともに“ＬＴＥ／−Ａ”と称される）について記載されており、このようなＬＴＥ−Ａ用語が以下の説明の多くで使用される。
【００１７】
図１は、ＬＴＥ−Ａネットワークでありうる、通信のための概念的な無線ネットワーク１００を示す。無線ネットワーク１００は、多くのイボルブド・ノードＢ（ｅＮＢ）１１０およびその他のネットワーク・エンティティを含む。ｅＮＢは、ＵＥと通信する局であり、基地局、ノードＢ、アクセス・ポイント等とも称されうる。おのおののｅＮＢ１１０は、特定の地理的エリアのために通信有効通信範囲エリアを提供しうる。３ＧＰＰでは、用語「セル」は、この用語が使用されるコンテキストに依存して、この有効通信範囲エリアにサービス提供しているｅＮＢおよび／またはｅＮＢサブシステムからなる特定の地理的有効通信範囲エリアを称しうる。
【００１８】
ｅＮＢは、マクロ・セル、ピコ・セル、フェムト・セル、および／または、その他のタイプのセルのために、通信有効通信範囲を提供しうる。マクロ・セルは、一般に、比較的大きな地理的エリア（例えば、半径数キロメータ）をカバーし、ネットワーク・プロバイダへのサービス加入を持つＵＥによる無制限のアクセスを許可しうる。ピコ・セルは、一般に、比較的小さな地理的エリアをカバーし、ネットワーク・プロバイダへのサービス加入を持つＵＥによる無制限のアクセスを許可しうる。フェムト・セルもまた一般に、比較的小さな地理的エリア（例えば、住宅）をカバーし、無制限のアクセスに加えて、フェムト・セルとの関連付けを持つＵＥ（例えば、クローズド加入者グループ（ＣＳＧ）内のＵＥ、住宅内のユーザのためのＵＥ等）による制限付のアクセスをも提供しうる。マクロ・セルのためのｅＮＢは、マクロｅＮＢと称されうる。ピコ・セルのためのｅＮＢは、ピコｅＮＢと称されうる。そして、フェムト・セルのためのｅＮＢは、フェムトｅＮＢまたはホームｅＮＢと称されうる。図１に示す例では、ｅＮＢ１１０ａ，１１０ｂ，１１０ｃは、マクロ・セル１０２ａ，１０２ｂ，１０２ｃそれぞれのためのマクロｅＮＢでありうる。ｅＮＢ１１０ｘは、ピコ・セル１０２ｘのためのピコｅＮＢでありうる。そして、ｅＮＢ１１０ｙ，１１０ｚは、それぞれフェムト・セル１０２ｙ，１０２ｚのためのフェムトｅＮＢである。ｅＮＢは、１または複数（例えば、２つ、３つ、４つ等）のセルをサポートしうる。
【００１９】
無線ネットワーク１００はさらに、中継局をも含む。中継局は、データおよび／またはその他の情報の送信を上流局（例えば、ｅＮＢ、ＵＥ等）から受信し、データおよび／またはその他の情報の送信を下流局（例えば、別のＵＥ、別のｅＮＢ等）へ送信する局である。中継局はまた、他のＵＥのための送信を中継するＵＥでもありうる。図１に示す例では、中継局１１０ｒは、ｅＮＢ１１０ａおよびＵＥ１２０ｒと通信しうる。ここでは、中継局１１０ｒは、２つのネットワーク要素（ｅＮＢ１１０ａとＵＥ１２０ｒ）間の通信を容易にするために、これら２つのネットワーク要素間のリレーとして動作する。中継局はまた、リレーｅＮＢ、リレー等とも称されうる。
【００２０】
無線ネットワーク１００は、同期動作または非同期動作をサポートしうる。同期動作の場合、ｅＮＢは、同じようなフレーム・タイミングを有し、異なるｅＮＢからの送信は、時間的にほぼ同期しうる。非同期動作の場合、ｅＮＢは、異なるフレーム・タイミングを有し、異なるｅＮＢからの送信は、時間的に同期しない場合がある。ここに記載された技術は、同期動作あるいは非同期動作の何れかのために使用されうる。
【００２１】
ネットワーク・コントローラ１３０は、ｅＮＢのセットに接続しており、これらｅＮＢのための調整および制御を提供しうる。ネットワーク・コントローラ１３０は、バックホール１３２を介してｅＮＢ１１０と通信しうる。ｅＮＢ１１０はまた、例えば、ダイレクトに、または、無線バックホール１３４または有線バックホール１３６を介して非ダイレクトに、互いに通信しうる。
【００２２】
無線ネットワーク１００の全体にわたってＵＥ１２０が分布しうる。そして、おのおののＵＥは、固定式または移動式でありうる。ＵＥは、端末、移動局、加入者ユニット、局等とも称されうる。ＵＥは、セルラ電話、携帯情報端末（ＰＤＡ）、無線モデム、無線通信デバイス、ハンドヘルド・デバイス、ラップトップ・コンピュータ、コードレス電話、無線ローカル・ループ（ＷＬＬ）局等でありうる。ＵＥは、マクロｅＮＢ、ピコｅＮＢ、フェムトｅＮＢ、リレー等と通信することができうる。図１では、両矢印を持つ実線が、ＵＥと、ダウンリンクおよび／またはアップリンクでＵＥにサービス提供するように指定されたｅＮＢであるサービス提供ｅＮＢとの間の所望の送信を示す。両矢印を持つ破線は、ＵＥとｅＮＢとの間の干渉送信を示す。
【００２３】
ＬＴＥ／−Ａは、ダウンリンクで直交周波数分割多重（ＯＦＤＭ）を、アップリンクでシングル・キャリア周波数分割多重（ＳＣ−ＦＤＭ）を利用する。ＯＦＤＭおよびＳＣ−ＦＤＭは、システム帯域幅を、一般にトーン、ビン等とも称される複数（Ｋ個）の直交サブキャリアに分割する。おのおののサブキャリアは、データとともに変調されうる。一般に、変調シンボルは、ＯＦＤＭを用いて周波数領域で、ＳＣ−ＦＤＭを用いて時間領域で送信される。隣接するサブキャリア間の間隔は固定され、サブキャリアの総数（Ｋ個）は、システム帯域幅に依存しうる。例えば、Ｋは、１．２５，２．５，５，１０，または２０メガヘルツ（ＭＨｚ）の対応するシステム帯域幅についてそれぞれ１２８，２５６，５１２，１０２４，または２０４８にそれぞれ等しい。システム帯域幅はまた、サブ帯域へ分割されうる。例えば、サブ帯域は、１．０８ＭＨｚをカバーし、１．２５，２．５，５，１０，または２０ＭＨｚの対応するシステム帯域幅についてそれぞれ１，２，４，８，または１６のサブ帯域が存在しうる。
【００２４】
図２は、ＬＴＥ／−Ａにおいて使用される概念的なダウンリンク・フレーム構造を示す。ダウンリンクの送信タイムラインは、ラジオ・フレームの単位に分割されうる。おのおののラジオ・フレームは、（例えば１０ミリ秒（ｍｓ）のような）予め定められた持続時間を有し、０乃至９のインデクスを付された１０個のサブフレームへ分割されうる。おのおののサブフレームは、２つのスロットを含みうる。したがって、おのおののラジオ・フレームは、０乃至１９のインデクスを付された２０のスロットを含みうる。おのおののスロットは、例えば、（図２に示すように）通常のサイクリック・プレフィクスの場合、７つのシンボル期間を、拡張されたサイクリック・プレフィクスの場合、６つのシンボル期間のように、Ｌ個のシンボル期間を含みうる。おのおののサブフレームでは、２Ｌ個のシンボル期間が、０乃至２Ｌ−１のインデクスを割り当てられうる。利用可能な時間周波数リソースが、リソース・ブロックへ分割されうる。おのおののリソース・ブロックは、１つのスロットにおいてＮ個のサブキャリア（例えば、１２のサブキャリア）をカバーしうる。
【００２５】
ＬＴＥ／−Ａにおいて、ｅＮＢは、ｅＮＢにおける各セルについて、一次同期信号（ＰＳＳ）と二次同期信号（ＳＳＳ）とを送信しうる。図２に示すように、一次同期信号および二次同期信号は、通常のサイクリック・プレフィクスを持つ各ラジオ・フレームのサブフレーム０，５のおのおのにおいて、シンボル期間６およびシンボル期間５でそれぞれ送信されうる。これら同期信号は、セル検出および獲得のためにＵＥによって使用されうる。ｅＮＢはまた、サブフレーム０のスロット１におけるシンボル期間０乃至３で、物理ブロードキャスト・チャネル（ＰＢＣＨ）を送信しうる。ＰＢＣＨは、あるシステム情報を伝送しうる。
【００２６】
図２で見られるように、ｅＮＢは、各サブフレームの最初のシンボル期間で、物理制御フォーマット・インジケータ・チャネル（ＰＣＦＩＣＨ）を送信しうる。ＰＣＦＩＣＨは、制御チャネルのために使用されるシンボル期間の数（Ｍ）を伝えうる。ここで、Ｍは、１，２または３に等しく、サブフレーム毎に変化しうる。Ｍはまた、例えば、１０未満のリソース・ブロックのように、小さなシステム帯域幅に対して４に等しくなりうる。図２に示す例では、Ｍ＝３である。ｅＮＢは、おのおののサブフレームの最初のＭ個のシンボル期間において、物理ＨＡＲＱインジケータ・チャネル（ＰＨＩＣＨ）と物理ダウンリンク制御チャネル（ＰＤＣＣＨ）とを送信しうる。ＰＤＣＣＨとＰＨＩＣＨもまた、図２に示す例における最初の３つのシンボル期間に含まれる。ＰＨＩＣＨは、ハイブリッド自動再送信（ＨＡＲＱ）をサポートするための情報を伝送しうる。ＰＤＣＣＨは、ＵＥのためのリソース割当に関する情報と、ダウンリンク・チャネルのための制御情報とを伝送しうる。ｅＮＢはまた、おのおののサブフレームの残りのシンボル期間で、物理ダウンリンク共有チャネル（ＰＤＳＣＨ）を送信しうる。ＰＤＳＣＨは、ダウンリンクで、データ送信のためにスケジュールされたＵＥのためのデータを伝送しうる。
【００２７】
ＬＴＥ−Ａは、各サブフレームの制御セクション、すなわち、各サブフレームの最初のシンボル期間においてＰＨＩＣＨおよびＰＤＣＣＨを送信することに加えて、各サブフレームのデータ・セクションでこれら制御が向けられたチャネルをも送信しうる。図２に示すように、例えば中継−物理ダウンリンク制御チャネル（Ｒ−ＰＤＣＣＨ）および中継−物理ＨＡＲＱインジケータ・チャネル（Ｒ−ＰＨＩＣＨ）のように、データ領域を利用するこれら新たな制御設計は、各サブフレームの後半のシンボル期間に含まれる。Ｒ−ＰＤＣＣＨは、半デュプレクス中継動作の文脈で元々開発されたデータ領域を利用する、新たなタイプの制御チャネルである。Ｒ−ＰＤＣＣＨおよびＲ−ＰＨＩＣＨは、１つのサブフレーム内にいくつかの第１の制御シンボルを占有するレガシーＰＤＣＣＨおよびＰＨＩＣＨとは異なり、元々データ領域として指定されているリソース要素（ＲＥ）へマップされる。新たな制御チャネルは、周波数分割多重（ＦＤＭ）、時分割多重（ＴＤＭ）、あるいはＦＤＭとＴＤＭとの組み合わせの形態をとりうる。
【００２８】
ｅＮＢは、ｅＮＢによって使用されるシステム帯域幅の中央の１．０８ＭＨｚでＰＳＳ、ＳＳＳ、およびＰＢＣＨを送信しうる。ｅＮＢは、これらのチャネルが送信される各シンボル期間におけるシステム帯域幅全体でＰＣＦＩＣＨおよびＰＨＩＣＨを送信しうる。ｅＮＢは、システム帯域幅のある部分において、ＵＥのグループにＰＤＣＣＨを送信しうる。ｅＮＢは、システム帯域幅の特定の部分で、特定のＵＥに、ＰＤＳＣＨを送信しうる。ｅＮＢは、すべてのＵＥへブロードキャスト方式でＰＳＳ、ＳＳＳ、ＰＢＣＨ、ＰＣＦＩＣＨ、およびＰＨＩＣＨを送信し、ＰＤＣＣＨを、ユニキャスト方式で、特定のＵＥへ送信しうる。さらに、特定のＵＥへユニキャスト方式でＰＤＳＣＨをも送信しうる。
【００２９】
各シンボル期間において、多くのリソース要素が利用可能でありうる。おのおののリソース要素は、１つのシンボル期間において１つのサブキャリアをカバーしうる。そして、実数値または複素数値である１つの変調シンボルを送信するために使用されうる。おのおののシンボル期間において、基準信号のために使用されないリソース要素は、リソース要素グループ（ＲＥＧ）へ構成されうる。おのおののＲＥＧは、１つのシンボル期間内に、４つのリソース要素を含みうる。ＰＣＦＩＣＨは、シンボル期間０内に４つのＲＥＧを占有しうる。これらは、周波数にわたってほぼ均等に配置されうる。ＰＨＩＣＨは、１または複数の設定可能なシンボル期間内に３つのＲＥＧを占有しうる。これらは、周波数にわたって分散されうる。例えば、ＰＨＩＣＨのための３つのＲＥＧはすべて、シンボル期間０に属しうる。あるいは、シンボル期間０，１，２に分散されうる。ＰＤＣＣＨは、最初のＭ個のシンボル期間内に、９，１８，３２，または６４のＲＥＧを占有しうる。これらは、利用可能なＲＥＧから選択されうる。複数のＲＥＧからなるある組み合わせのみが、ＰＤＣＣＨのために許容されうる。
【００３０】
ＵＥは、ＰＨＩＣＨとＰＣＦＩＣＨとのために使用された特定のＲＥＧを認識しうる。ＵＥは、ＰＤＣＣＨを求めて、ＲＥＧの異なる組み合わせを探索しうる。探索する組み合わせの数は、一般に、ＰＤＣＣＨのために許可された組み合わせの数よりも少ない。ｅＮＢは、ＵＥが探索する組み合わせのうちの何れかのＵＥにＰＤＣＣＨを送信しうる。
【００３１】
ＵＥは、複数のｅＮＢの有効通信範囲内に存在しうる。これらのｅＮＢのうちの１つが、ＵＥにサービス提供するために選択されうる。サービス提供するｅＮＢは、例えば受信電力、経路喪失、信号対雑音比（ＳＮＲ）等のようなさまざまな基準に基づいて選択されうる。
【００３２】
図３は、アップリンク・ロング・ターム・イボリューション（ＬＴＥ／−Ａ）通信における典型的なフレーム構造３００を概念的に例示する概念的なブロック図である。アップリンクのために利用可能なリソース・ブロック（ＲＢ）は、データ・セクションおよび制御セクションに分割されうる。制御セクションは、システム帯域幅の２つの端部において形成され、設定可能なサイズを有しうる。制御セクションにおけるリソース・ブロックは、制御情報の送信のために、ＵＥへ割り当てられうる。データ・セクションは、制御セクションに含まれていないすべてのリソース・ブロックを含みうる。図３における設計の結果、データ・セクションは、連続するサブキャリアを含むようになる。これによって、単一のＵＥに、データ・セクションにおける連続するサブキャリアのすべてが割り当てられるようになる。
【００３３】
ＵＥは、ｅＮＢへ制御情報を送信するために、制御セクションにおいてリソース・ブロックを割り当てられうる。ＵＥはまた、ｅノードＢへデータを送信するために、データ・セクション内にリソース・ブロックを割り当てられうる。ＵＥは、制御セクションにおいて割り当てられたリソース・ブロック３１０ａ，３１０ｂで、物理アップリンク制御チャネル（ＰＵＣＣＨ）によって制御情報を送信しうる。ＵＥは、データ・セクションにおいて割り当てられたリソース・ブロック３２０ａ，３２０ｂで、物理アップリンク共有チャネル（ＰＵＳＣＨ）によって、データのみ、または、データと制御情報との両方を送信しうる。アップリンク送信は、サブフレームからなる両スロットにおよび、図３に示すように、周波数を越えてホップしうる。
【００３４】
図１に示すように、無線ネットワーク１００は、単位エリア毎のシステムのスペクトル効率を改善するために、ｅＮＢ１００の多様なセット（すなわち、マクロｅＮＢ、ピコｅＮＢ、フェムトｅＮＢ、およびリレー）を使用する。無線ネットワーク１００は、スペクトル有効通信範囲のため、このように異なるｅＮＢを使用するので、ヘテロジニアス・ネットワークとも称されうる。マクロｅＮＢ１１０ａ−ｃは、通常、無線ネットワーク１００のプロバイダによって、注意深く計画され、配置される。マクロｅＮＢ１１０ａ−ｃは、一般に、高い電力レベル（例えば、５Ｗ−４０Ｗ）で送信する。一般に、実質的に低い電力レベル（例えば、１００ｍＷ−２Ｗ）で送信するピコｅＮＢ１１０ｘは、マクロｅＮＢ１１０ａ−ｃによって提供される有効通信範囲エリアにおける有効通信範囲ホールをなくすために、および、ホット・スポットにおける容量を改善するために、比較的無計画な方式で配置されうる。一般に、無線ネットワーク１００から独立して配置されるフェムトｅＮＢ１１０ｙ−ｚはやはり、アドミニストレータ（単数または複数）によって許可されている場合には、無線ネットワーク１００への潜在的なアクセス・ポイントとして、または、リソース調整および干渉管理の調整を実行するために、無線ネットワーク１００の他のｅＮＢ１１０と通信しうる、少なくともアクティブでアウェアなｅＮＢとして、の何れかとして、無線ネットワーク１００の有効通信範囲エリアへ組み込まれうる。また、フェムトｅＮＢ１１０ｙ−ｚは、一般に、マクロｅＮＢ１１０ａ−ｃよりも実質的に低い電力レベル（例えば、１００ｍＷ−２Ｗ）でも送信する。
【００３５】
例えば無線ネットワーク１００のようなヘテロジニアス・ネットワークの動作では、おのおののＵＥは、通常、より良好な信号品質のｅＮＢ１１０によってサービス提供される一方、他のｅＮＢ１１０から受信された、求められない信号は、干渉として取り扱われる。このような動作原理は、最適とはいえないパフォーマンスをもたらす一方、ｅＮＢ１１０間における高度なリソース調整、より良好なサーバ選択戦略、および、効率的な干渉管理のためのより進化した技術を用いることによって、無線ネットワーク１００におけるネットワーク・パフォーマンスの向上が達成される。
【００３６】
例えばピコｅＮＢ１１０ｘのようなピコｅＮＢは、例えばマクロｅＮＢ１１０ａ−ｃのようなマクロｅＮＢと比較された場合、実質的に低い送信電力によって特徴付けられる。また、ピコｅＮＢは、通常、アド・ホック方式では、例えば無線ネットワーク１００のようなネットワークの周囲に配置されるだろう。この無計画な配置によって、例えば無線ネットワーク１００のような、ピコｅＮＢ配置を伴う無線ネットワークは、低い信号対干渉条件を持つ広いエリアを有することが期待されうる。これは、有効通信範囲エリアまたはセルの端部のＵＥ（「セル・エッジ」ＵＥ）への制御チャネル送信のためにより厳しいＲＦ環境を生み出しうる。さらに、マクロｅＮＢ１１０ａ−ｃと、ピコｅＮＢ１１０ｘとの送信電力レベル間に潜在的に大きな相違（例えば、約２０ｄＢ）があることは、混成配置では、ピコｅＮＢ１１０ｘのダウンリンク有効通信範囲エリアが、マクロｅＮＢ１１０ａ−ｃのダウンリンク有効通信範囲エリアよりも格段に小さいであろうことを示唆している。
【００３７】
しかしながら、アップリンクの場合、アップリンク信号の信号強度はＵＥによって管理されるので、何れかのタイプのｅＮＢ１１０によって受信された場合、類似するようになるであろう。大まかに同じ、または、類似しているｅＮＢ１１０のアップリンク有効通信範囲エリアでは、アップリンク・ハンドオフ境界が、チャネル・ゲインに基づいて決定されるだろう。これは、ダウンリンク・ハンドオーバ境界とアップリンク・ハンドオーバ境界との間のミスマッチをもたらしうる。さらなるネットワーク適合が無ければ、このミスマッチは、無線ネットワーク１００における、サーバ選択、または、ｅＮＢに対するＵＥの関連付けを、ダウンリンクおよびアップリンクのハンドオーバ境界がより近く一致しているマクロｅＮＢのみのホモジニアス・ネットワークにおけるよりも、より困難にするであろう。
【００３８】
サーバ選択が、ダウンリンク受信信号強度に支配的に基づくのであれば、例えば無線ネットワーク１００のようなヘテロジニアス・ネットワークの混合ｅＮＢ配置の有用性が大きく損なわれるだろう。これは、例えばマクロｅＮＢ１１０ａ−ｃのような高電力マクロｅＮＢの有効通信範囲エリアが広くなると、例えばピコｅＮＢ１１０ｘのようなピコｅＮＢを用いてセル有効通信範囲を分割する利点を制限するからである。なぜなら、マクロｅＮＢ１１０ａ−ｃのダウンリンク受信信号強度が高くなると、利用可能なＵＥのすべてに対して魅力的である一方、ピコｅＮＢ１１０ｘは、ダウンリンク送信電力がはるかに低いことによって、いずれのＵＥにもサービス提供しないからである。さらに、マクロｅＮＢ１１０ａ−ｃは、これらのＵＥに対して効率的にサービス提供するために、十分なリソースを持たない可能性が高くなるであろう。したがって、無線ネットワーク１００は、ピコｅＮＢ１１０ｘの有効通信範囲エリアを拡大することによって、マクロｅＮＢ１１０ａ−ｃとピコｅＮＢ１１０ｘとの間の負荷をアクティブに平準化するように試みるであろう。この概念は範囲拡張と称される。
【００３９】
無線ネットワーク１００は、サーバ選択が決定される方式を変更することによって、この範囲拡張を達成する。サーバ選択は、ダウンリンク受信信号強度に基づくのではなく、ダウンリンク信号の品質により基づく。１つのこのような品質ベースの決定では、サーバ選択は、ＵＥに対して最小の経路喪失しかもたらさないｅＮＢを決定することに基づきうる。さらに、無線ネットワーク１００は、マクロｅＮＢ１１０ａ−ｃと、ピコｅＮＢ１１０ｘとの間で固定されたリソース分配を等しく提供する。しかしながら、このようなアクティブな負荷平準化をもってしても、マクロｅＮＢ１１０ａ−ｃからのダウンリンク干渉は、例えばピコｅＮＢ１１０ｘのようなピコｅＮＢによってサービス提供されるＵＥのために緩和されねばならない。これは、ＵＥにおける干渉除去、ｅＮＢ１１０間のリソース調整等を含むさまざまな方法によって達成されうる。
【００４０】
例えば無線ネットワーク１００のように、範囲拡張されたヘテロジニアス・ネットワークでは、例えばマクロｅＮＢ１１０ａ−ｃのような高電力のｅＮＢから送信された、より強いダウンリンク信号の存在下において、例えばピコｅＮＢ１１０ｘのような低電力のｅＮＢから、ＵＥがサービスを得るために、ピコｅＮＢ１１０ｘは、マクロｅＮＢ１１０ａ−ｃのうちの支配的な干渉元との制御チャネルおよびデータ・チャネルの干渉の調整を行う。干渉を管理するために、干渉調整のための別の多くの技術が適用されうる。例えば、同一チャネル配置におけるセルからの干渉を低減するために、セル間干渉調整（ＩＣＩＣ）が使用されうる。１つのＩＣＩＣメカニズムは、適応的なリソース区分である。適応的なリソース区分は、あるｅＮＢにサブフレームを割り当てる。第１のｅＮＢに割り当てられたサブフレームでは、近隣のｅＮＢは送信しない。したがって、第１のｅＮＢによってサービス提供されるＵＥによってもたらされる干渉が低減される。サブフレーム割当は、アップリンク・チャネルとダウンリンク・チャネルとの両方で実行されうる。
【００４１】
例えば、サブフレームは、３つのクラスのサブフレーム、すなわち、保護サブフレーム（Ｕサブフレーム）、禁止サブフレーム（Ｎサブフレーム）、および共通サブフレーム（Ｃサブフレーム）間に割り当てられる。保護サブフレームは、第１のｅＮＢによる限定的な使用のために第１のｅＮＢに割り当てられる。保護サブフレームはまた、近隣のｅＮＢからの干渉が無いことに基づいて、「クリーンな」サブフレームとも称される。禁止サブフレームは、近隣のｅＮＢに割り当てられたサブフレームであり、第１のｅＮＢは、禁止サブフレームの間、データを送信することを禁じられる。例えば、第１のｅＮＢの禁止サブフレームは、第２の干渉元のｅＮＢの保護サブフレームに対応しうる。したがって、第１のｅＮＢは、第１のｅＮＢの保護サブフレームの間にデータを送信している唯一のｅＮＢである。共通サブフレームは、複数のｅＮＢによるデータ送信のために使用されうる。共通サブフレームはまた、別のｅＮＢからの干渉の可能性があることから、「クリーンではない」サブフレームとも称されうる。
【００４２】
期間毎に、少なくとも１つの保護サブフレームが静的に割り当てられる。ある場合には、１つの保護サブフレームのみが静的に割り当てられる。例えば、周期が８ミリ秒である場合、１つの保護サブフレームが、毎８ミリ秒の間に、ｅＮＢに静的に割り当てられうる。他のサブフレームは動的に割り当てられうる。
【００４３】
適応リソース区分情報（ＡＲＰＩ）によって、非静的に割り当てられたサブフレームが、動的に割り当てられるようになる。保護サブフレーム、禁止サブフレーム、または共通サブフレーム（それぞれＡＵサブフレーム、ＡＮサブフレーム、ＡＣサブフレーム）の何れかが、動的に割り当てられうる。このような動的な割り当ては、例えば１００ミリ秒毎またはそれ未満毎のように、迅速に変化しうる。
【００４４】
ヘテロジニアス・ネットワークは、異なる電力クラスのｅＮＢを有しうる。例えば、電力クラスの減少に伴い、マクロｅＮＢ、ピコｅＮＢ、およびフェムトｅＮＢのような３つの電力クラスが定義されうる。マクロｅＮＢ、ピコｅＮＢ、およびフェムトｅＮＢが同一チャネルに配置されている場合、マクロｅＮＢ（攻撃ｅＮＢ）の電力スペクトル密度（ＰＳＤ）は、ピコｅＮＢおよびフェムトｅＮＢ（犠牲ｅＮＢｓ）のＰＳＤよりも大きく、ピコｅＮＢとフェムトｅＮＢとに多大な干渉をもたらしうる。保護サブフレームは、ピコｅＮＢおよびフェムトｅＮＢとの干渉を低減または最小化するために使用されうる。すなわち、保護サブフレームは、犠牲ｅＮＢが、攻撃ｅＮＢにおける禁止サブフレームに対応するようにスケジュールされうる。
【００４５】
例えば無線ネットワーク１００のようなヘテロジニアス・ネットワークの配置では、ＵＥは、１または複数の干渉元のｅＮＢから高い干渉を観察しうる支配的な干渉シナリオで動作しうる。支配的な干渉シナリオは、制限された関連付けによって生じうる。例えば、図１では、ＵＥ１２０ｙが、フェムトｅＮＢ１１０ｙの近くにあり、ｅＮＢ１１０ｙに関し高い受信電力を有しうる。しかしながら、制約された関連性によって、ＵＥ１２０ｙは、フェムトｅＮＢ１１０ｙにアクセスすることができず、（図１に示すような）マクロｅＮＢ１１０ｃ、または、同様に低い受信電力を持つ（図１に示されていない）フェムトｅＮＢ１１０ｚに接続しうる。ＵＥ１２０ｙは、その後、ダウンリンクで、フェムトｅＮＢ１１０ｙからの高い干渉を観察し、アップリンクで、ｅＮＢ１１０ｙへ高い干渉を引き起こしうる。ｅＮＢ１１０ｃおよびフェムトｅＮＢ１１０ｙは、調整された干渉管理を用いて、リソースをネゴシエートするために、バックホール１３４を介して通信しうる。このネゴシエーションでは、フェムトｅＮＢ１１０ｙは、チャネル・リソースのうちの１つでの送信を停止することに合意する。これによって、ＵＥ１２０ｙは、同じチャネルを介してｅＮＢ１１０ｃと通信する場合ほど、フェムト１１０ｙからの干渉を受けなくなるであろう。
【００４６】
このような支配的な干渉シナリオでは、同期システムにおいてでさえも、ＵＥと複数のｅＮＢとの間の距離が異なることにより、ＵＥで観察された信号電力の不一致に加えて、ダウンリンク信号のタイミング遅れもＵＥによって観察されうる。同期システムにおけるｅＮＢは、システムを超えた推定に基づいて同期される。しかしながら、例えば、マクロｅＮＢから５ｋｍの距離にあるＵＥを考慮すると、マクロｅＮＢから受信されたダウンリンク信号の伝搬遅れは、約１６．６７マイクロ秒（５ｋｍ÷３×１０８、すなわち、光速‘ｃ’）の遅れとなるであろう。マクロｅＮＢからのダウンリンク信号を、より近いフェムトｅＮＢからのダウンリンク信号と比較すると、タイミング差は、タイミング・トラッキング・ループ（ＴＴＬ）のレベルに近づきうるか、または、サイクリック・プレフィクス長さをかなり超えるだろう。
【００４７】
さらに、このタイミング差は、ＵＥにおける干渉除去に悪影響を与えうる。干渉除去はしばしば、同じ信号の複数のバージョンの結合間の相互相関特性を用いる。同じ信号の複数のコピーを結合することによって、干渉は、より簡単に識別されうる。なぜなら、信号のおのおののコピーにおける干渉が存在するであろう間、干渉は、同じ場所にあることはないだろうからである。結合された信号の相互相関を用いて、実際の信号部分が判定され、干渉と区別されうる。これによって、干渉が除去されるようになる。
【００４８】
図４は、図１における基地局／ｅＮＢのうちの１つ、およびＵＥのうちの１つでありうる、基地局／ｅＮＢ１１０とＵＥ１２０との設計の概念的なブロック図を示す。制約された関連性のシナリオの場合、ｅＮＢ１１０は、図１におけるマクロｅＮＢ１１０ｃでありうる。そして、ＵＥ１２０は、ＵＥ１２０ｙでありうる。ｅＮＢ１１０はさらに、その他いくつかのタイプの基地局でもありうる。ｅＮＢ１１０は、アンテナ４３４ａ乃至４３４ｔを備え、ＵＥ１２０は、アンテナ４５２ａ乃至４５２ｒを備えうる。
【００４９】
ｅＮＢ１１０では、送信プロセッサ４２０が、データ・ソース４１２からデータを、コントローラ／プロセッサ４４０から制御情報を受信しうる。制御情報は、ＰＢＣＨ、ＰＣＦＩＣＨ、ＰＨＩＣＨ、ＰＤＣＣＨ等用でありうる。データは、ＰＤＳＣＨ等用でありうる。プロセッサ４２０は、データ・シンボルおよび制御シンボルをそれぞれ取得するために、データおよび制御情報を処理（例えば、符号化およびシンボル・マップ）しうる。プロセッサ４２０はさらに、例えばＰＳＳ、ＳＳＳのための基準シンボルや、セル特有の基準信号を生成しうる。送信（ＴＸ）複数入力複数出力（ＭＩＭＯ）プロセッサ４３０は、適用可能であれば、データ・シンボル、制御シンボル、および／または基準シンボルに空間処理（例えば、プリコーディング）を実行し、出力シンボル・ストリームを変調器（ＭＯＤ）４３２ａ乃至４３２ｔに提供しうる。おのおのの変調器４３２は、（例えば、ＯＦＤＭ等のために）それぞれの出力シンボル・ストリームを処理して、出力サンプル・ストリームを得る。おのおのの変調器４３２はさらに、出力サンプル・ストリームを処理（例えば、アナログ変換、増幅、フィルタ、およびアップコンバート）し、ダウンリンク信号を取得する。変調器４３２ａ乃至４３２ｔからのダウンリンク信号は、アンテナ４３４ａ乃至４３４ｔを介してそれぞれ送信されうる。
【００５０】
ＵＥ１２０では、アンテナ４５２ａ乃至４５２ｒが、ｅＮＢ１１０からダウンリンク信号を受信し、受信した信号を、復調器（ＤＥＭＯＤ）４５４ａ乃至４５４ｒへそれぞれ提供しうる。おのおのの復調器４５４は、受信したそれぞれの信号を調整（例えば、フィルタ、増幅、ダウンコンバート、およびデジタル化）して、入力サンプルを取得しうる。おのおのの復調器４５４はさらに、（例えば、ＯＦＤＭ等のため）これら入力サンプルを処理して、受信されたシンボルを取得しうる。ＭＩＭＯ検出器４５６は、すべての復調器４５４ａ乃至４５４ｒから受信したシンボルを取得し、適用可能である場合、これら受信されたシンボルに対してＭＩＭＯ検出を実行し、検出されたシンボルを提供しうる。受信プロセッサ４５８は、検出されたシンボルを処理（例えば、復調、デインタリーブ、および復号）し、ＵＥ１２０のために復号されたデータをデータ・シンク４６０に提供し、復号された制御情報をコントローラ／プロセッサ４８０へ提供しうる。
【００５１】
アップリンクでは、ＵＥ１２０において、送信プロセッサ４６４が、データ・ソース４６２から（例えば、ＰＵＳＣＨのための）データを、コントローラ／プロセッサ４８０から（例えば、ＰＵＣＣＨのための）制御情報を受信し、これらを処理しうる。プロセッサ４６４はさらに、基準信号のための基準シンボルをも生成しうる。送信プロセッサ４６４からのシンボルは、適用可能であれば、ＴＸ  ＭＩＭＯプロセッサ４６６によってプリコードされ、さらに、（例えば、ＳＣ−ＦＤＭ等のために）復調器４５４ａ乃至４５４ｒによって処理され、ｅＮＢ１１０へ送信される。ｅＮＢ１１０では、ＵＥ１２０からのアップリンク信号が、アンテナ４３４によって受信され、変調器４３２によって処理され、適用可能な場合にはＭＩＭＯ検出器４３６によって検出され、さらに、受信プロセッサ４３８によって処理されて、ＵＥ１２０によって送信された復号されたデータおよび制御情報が取得されうる。プロセッサ４３８は、復号されたデータをデータ・シンク４３９に提供し、復号された制御情報をコントローラ／プロセッサ４４０へ提供しうる。
【００５２】
コントローラ／プロセッサ４４０，４８０は、ｅＮＢ１１０およびＵＥ１２０それぞれにおける動作を指示しうる。ｅＮＢ１１０におけるプロセッサ４４０および／またはその他のプロセッサおよびモジュールは、本明細書で説明された技術のためのさまざまな処理の実行または指示を行いうる。ＵＥ１２０におけるプロセッサ４８０および／またはその他のプロセッサおよびモジュールは、図９に例示された機能ブロック、および／または、本明細書に記載された技術のためのその他の処理の実行または実行の指示を行いうる。メモリ４４２，４８２は、ｅＮＢ１１０およびＵＥ１２０それぞれのためのデータおよびプログラム・コードを格納しうる。スケジューラ４４４は、ダウンリンクおよび／またはアップリンクでのデータ送信のためにＵＥをスケジュールしうる。
【００５３】
例えばＵＥ１２０のようなＵＥは、生の受信信号から始まって、信号に対していくつかの演算を実行し、最終的には、この受信信号から意図されている情報を収集しうる。ＵＥのフロントエンドでは、信号が、アナログ・デジタル変換器（ＡＤＣ）によってアナログからデジタルに変換され、サンプルされ、オフセット調節され、周波数領域に変換され、その後、チャネル推定、復調、復号等のために処理される。このフロントエンド動作は、多くのＵＥ受信機にわたって類似している。しかしながら、「通常の」フロントエンド処理は、例えばＬＴＥ−Ａネットワークのようなヘテロジニアス・ネットワークへ移行する進化したネットワークの構成を用いて、最適未満のパフォーマンスを体験し始めるだろう。
【００５４】
図５は、ホモジニアス無線ネットワークのために構成されたＵＥのフロントエンド５０を例示する概念的なブロック図である。ＵＥのフロントエンド５０は、信号を識別し、タイミング／周波数オフセットを実行する等のようなさまざまな動作を実行する。アナログ・デジタル変換後、時間領域サンプルの周波数オフセットまたはタイミング・オフセットが、周波数／タイミング・トラッキング・モジュール５００において、トラッキングされ、調節される。周波数オフセットがトラッキングされるか、またはタイミング・オフセットがトラッキングされるのかは、ＵＥが位置する、基礎をなす通信ネットワークのパラメータに依存するだろう。シリアル・パラレル（Ｓ／Ｐ）高速フーリエ変換（ＦＦＴ）モジュール５０１は、時間領域サンプルをシリアルからパラレルに変換し、さらに、時間領域サンプルを、周波数領域に変換する。信号処理モジュール５０２は、その後、チャネル推定、復調、復号等のために周波数領域信号を処理する。その後、これら信号は、ＵＥによるさらなる処理のために、ＵＥフロントエンド５０から出る。
【００５５】
フロントエンド５０のこの動作は、ＵＥが自身のサービス提供セルからの信号に最も興味を持っているホモジニアス・ネットワークのために最適化される。このようなホモジニアスな体系では、サービス提供セルからの信号は、最も一般的には、最も強い信号である。その他すべての信号は干渉である。しかしながら、ヘテロジニアス・ネットワークでは、ＵＥは、そのサービス提供セルのみならず、近隣セルの任意の強い信号をもトラキングすることに興味を持っている。さらに、ヘテロジニアス・ネットワークでは、最強の信号は、サービス提供セルからのものではないかもしれない。したがって、周波数／タイミング・オフセットを考慮することは、より困難になりうる。
【００５６】
図６は、ヘテロジニアス・ネットワークのために構成されたＵＥのフロントエンド６０を例示する概念的なブロック図である。ヘテロジニアス・ネットワークで動作する場合、周波数およびタイミング・オフセット・トラッキングは、信号／セルのすべての合計のための周波数／タイミング・オフセットが、チップ／サンプル・レベルにおいてトラッキングされる共通部分と、各セルの周波数／タイミング・オフセットがシンボル・レベルにおいて個別にトラッキングされる個別部分と、の２つの部分に分割される。例えば、ＬＴＥ−Ａヘテロジニアス・ネットワークでは、個々の周波数／タイミング・トラッキングは、各セル信号のＯＦＤＭシンボル・レベルにおいて実行される。図６に示すように、時間領域サンプルのオフセットは、共通周波数／タイミング・トラッキング・モジュール６００において共通してトラッキングされる。チップ／サンプル・レベル・トラッキングは、複数のセルからの信号の合計に対して実行されるので、トラッキングされたオフセットは、前述したように、ヘテロジニアス・ネットワークにおいて常にサービス提供セルであるとは限らない最も強いセルをトラッキングする傾向にある。
【００５７】
オフセット調節がなされた後、Ｓ／Ｐ  ＦＦＴモジュール６０１は、時間領域サンプルを、シリアルからパラレルへ変換し、これらを周波数領域に変換する。セル０乃至セルＭ−１のおのおのの信号の個々の周波数／時間トラッキングを実行するために、フロントエンド６０の動作が分割される。ここで、Ｍは、ＵＥにおいて信号が受信されるセルの総数である。セル０乃至セルＭ−１のおのおのからの信号は、個々の周波数／タイミング・トラッキング・モジュール６０２０および６０２Ｍ−１それぞれによって、シンボル・レベルにおいて個別にトラッキングされる。検出された個々のオフセットに基づいて、受信信号に対して、さらなる調節がなされうる。信号処理モジュール６０４はその後、チャネル推定、復調、復号等のために周波数領域信号を処理し、その後、これら信号は、ＵＥによるさらなる処理のために、ＵＥフロントエンド６０の外部で利用可能になるであろう。
【００５８】
フロントエンド６０の構成は、サービス提供セルと強い干渉元の近隣セルとの間の周波数／タイミング・オフセットが比較的小さい場合に、正確に動作するであろう。オフセットが小さいと、一般には、大きな調節を必要としない。したがって、正確なオフセットおよび対応する調節の精度は、さほど重要ではなくなる。なぜなら、比較的小さなオフセットまたは調節における小さな誤差は、セル信号の全面的に不正確になる推定値をもたらさないからである。しかしながら、周波数／タイミング・オフセットが、より大きくなった場合、オフセットまたは対応する調節における誤差が、不正確な信号推定値をもたらすほど相対的に十分大きくなる確率が増す。例えば、周波数オフセットが、セル０から＋５００ｋＨｚであり、セルＭ−１から−５００ｋＨｚであり、これらの信号が、同じような強度である場合、共通周波数／タイミング・トラッキング・モジュール６００において、共通のトラッキングが実行されるのであれば、何ら調節はなされないだろう。なぜなら、共通のステージにおけるセル信号の総和は、何ら周波数オフセットを示さないであろうからである。したがって、個々の周波数／タイミング・トラッキング・モジュール６０２０乃至６０２Ｍ−１が、セル０乃至セルＭ−１それぞれについて、＋／−５００ｋＨｚオフセットを正確にトラッキングしないのであれば、フロントエンド６０は、不正確な信号推定に至りうるシンボル・レベルにおけるオフセットを適切に補償しないことがありうる。これは、干渉元のセルからの干渉を正確に除去することをより困難にする。
【００５９】
ＬＴＥ−Ａヘテロジニアス・ネットワークでは、例えば、単一のＯＦＤＭシンボルは、６６．６７マイクロ秒であることが注目されるべきである。フロントエンド６０を備えて構成されているＵＥは、サービス提供セルと、強い干渉元の近隣セルとの間の周波数／タイミング・オフセットが、おおよそ＋／−１ｋＨｚ（周波数オフセット）または＋／−１１マイクロ秒（タイミング・オフセット）内にとどまる場合、正確に実行するだろう。
【００６０】
図７は、ヘテロジニアス・ネットワークにおけるＵＥのための本開示の１つの態様にしたがって構成されたフロントエンド７０を例示する概念的なブロック図である。フロントエンド７０は、デュアルＦＦＴ受信機として構成される。アナログ・デジタル変換後、時間領域サンプルは、デュアル処理レッグによって処理される。サービス提供セルであるセル０と、比較的小さな周波数／タイミング・オフセットを有する干渉元のセルであるセル１乃至Ｐ−１は、共通周波数／タイミング・トラッキング・モジュール７００Ａにおいて共通してトラッキングされる。セルのサービス提供セル・グループに割り当てられたＳ／Ｐ  ＦＦＴ７０１Ａは、シリアル・パラレル変換を行い、時間領域サンプルを、周波数領域に変換する。セル０−セルＰ−１のおのおのは、その後、個々の周波数／タイミング・トラッキング・モジュール７０２０乃至７０２Ｐ−１それぞれによって個別にトラッキングされる。信号処理モジュール７０３は、その後、チャネル推定、復調、復号等のために、周波数領域信号を処理する。この第１のレッグによって処理されたセル信号は、比較的小さなオフセットしか有していないので、フロントエンド７０は、信号を正確に推定するだろう。
【００６１】
残りのセルであるセルＰ乃至セルＭ−１は、サービス提供セルからのより大きな周波数／タイミング・オフセットを有しており、共通周波数／タイミング・トラッキング・モジュール７００Ｂにおいて始まる、第２の処理レッグにおいて共通してトラッキングされる。残りの干渉元のセルに割り当てられたＳ／Ｐ  ＦＦＴ７０１Ｂは、シリアル・パラレル変換を行い、時間領域サンプルを、周波数領域に変換する。セルＰ乃至セルＭ−１のおのおのは、その後、個々の周波数／タイミング・トラッキング・モジュール７０２Ｐ乃至７０２Ｍ−１によって個別にトラッキングされ、信号処理モジュール７０３は、チャネル推定、復調、復号等のために、周波数領域信号を処理する。第２の処理レッグにおいて処理されたセルが、サービス提供セルからのより大きなオフセットを有する一方、これらのオフセットは、第２の処理レッグにおいて処理されたその他のセルに比べて、さほど大きくはならない場合がありうる。したがって、フロントエンド７０は、第２の処理レッグにおいても同様に、信号を正確に推定できる可能性が高くなるだろう。
【００６２】
フロントエンド７０は、サービス提供セルを、比較的小さな周波数／タイミングを有するいくつかの干渉元の近隣とともに常にトラッキングするために、１つのＦＦＴ演算であるＳ／Ｐ  ＦＦＴ７０１Ａを割り当てる一方、残りの強い干渉元をトラッキングするために、その他の演算であるＳ／Ｐ  ＦＦＴ７０１Ｂが割り当てられる。デュアルＦＦＴ処理によって、相対的なオフセットが制御されるようになる。この結果、ヘテロジニアス・ネットワークにおける信号推定がより正確になる。干渉除去は、フロントエンド７０の構成を用いて、Ｓ／Ｐ  ＦＦＴ７０１Ａおよび７０１Ｂの出力に対して反復的に実行されうる。
【００６３】
本開示のさまざまな態様は、デュアルＦＦＴ処理のみに限定されないことが注目されるべきである。さらなる態様が、２つよりも多くのＦＦＴ処理モジュールを組み込むか、２つよりも多くのＦＦＴ処理モジュールを用いて構成されうる。図８は、ヘテロジニアス・ネットワークにおけるＵＥのための本開示の１つの態様にしたがって構成されたフロントエンド８０を例示する概念的なブロック図である。フロントエンド８０は、複数の処理レッグ８００Ａ−８００Ｃで構成される。処理レッグ８００Ａ−８００Ｃのおのおのは、自身のＦＦＴ演算であるＳ／Ｐ  ＦＦＴ８０２Ａ−８０２Ｃを含む。Ｓ／Ｐ  ＦＦＴ８０２Ａを備える処理レッグ８００Ａは、サービス提供セルからの比較的小さな周波数／タイミング・オフセットを有する何れかの干渉元のセルと、サービス提供セルとをトラッキングするために、フロントエンド８０によって割り当てられる。Ｓ／Ｐ  ＦＦＴ８０２Ｂ−８０２Ｃを備えたその他の処理レッグ８００Ｂ−８００Ｃのおのおのは、干渉元のセルの追加のセットをトラッキングするために割り当てられる。ここで、これらセット内の各セルは、サービス提供セルから予め定められた範囲内にある周波数／タイミング・オフセットを有する。例えば、それぞれのＳ／Ｐ  ＦＦＴ８０２ＢおよびＳ／Ｐ  ＦＦＴ８０２Ｃを備えた処理レッグ８００Ｂおよび８００Ｃのおのおのは、おおよそ＋／−１ｋＨｚまたは＋／−１１マイクロ秒の範囲幅に入る周波数／タイミング・オフセットを持つ干渉元のセルに割り当てられうる。
【００６４】
処理レッグ８００Ａは、共通トラッキング・モジュール８０１Ａにおける共通のトラッキングと、個々のトラッキング・モジュール８０３０−８０３Ｐ−１における個々のトラッキングとを提供する。同様に、処理レッグ８００Ｂ−８００Ｃでは、共通のトラッキングが、共通トラッキング・モジュール８０１Ｂ−８０１Ｃそれぞれにおいて提供され、個々のトラッキングが、個々のトラッキング・モジュール８０３Ｐ−８０３Ｍ−１と８０３Ｍ−８０３Ｎそれぞれにおいて提供される。信号処理モジュール８０４は、その後、処理レッグ８００Ａ−８００Ｃのおのおののチャネル推定、復調、復号等のために、周波数領域信号を処理する。フロントエンド７０（図７）のデュアルＦＦＴ構成を用いて、フロントエンド８０は、サービス提供セルのために、ＦＦＴ演算であるＳ／Ｐ  ＦＦＴ８０２Ａを割り当て、オフセット範囲の各セット内の干渉元のセルのために、例えばＳ／Ｐ  ＦＦＴ８０２Ｂおよび８０２Ｃのようなその他複数のＦＦＴ演算を割り当てる。複数のＦＦＴ演算を提供することによって、フロントエンド８０は、サービス提供セルからの信号と、干渉元のセルからの信号との両方を、より正確に推定しうる。
【００６５】
図８に関して記載された実施形態では、処理レッグ８００Ａから導出された時間領域サンプルまたは周波数領域サンプル（処理レッグ８００Ａからのサンプルおよび信号は一般にＦＦＴクラスタと称される）と、（一般に、ＦＦＴクラスタとも称されうる）その他の処理レッグ８００Ｂおよび８００Ｃからのその他の時間領域サンプルまたは周波数領域サンプルとに干渉除去が適用されうる。これらＦＦＴクラスタのうちの複数の時間領域サンプルまたは周波数領域サンプルの除去順序が決定されうる。時間および／または周波数領域干渉除去が、ＦＦＴクラスタのサブセットに適用されうる。さらに、ＦＦＴクラスタの総数は、相対的なタイミング／信号強度、サービス提供セル位置等によって決定され、異なるサブフレーム間で動的に調節されうる。さらに、干渉除去は、異なるＦＦＴクラスタにわたって、または、異なるＦＦＴクラスタ間で反復的に適用されうる。ここで、いくつかのクラスタは、時間領域干渉除去を用いる一方、動的に調節されているその他のクラスタは、時間領域干渉除去がその他のＦＦＴクラスタによって適用された後、周波数領域干渉除去を使用しうる。したがって、本開示のさまざまな態様とともに使用されうる干渉除去技術および手順のスコープは、何れか１つの特定の技術にも手順にも限定されない。
【００６６】
図９は、本開示の１つの態様を実施するように実行されるブロックの例を例示する機能ブロック図である。ブロック９００では、第１のセルのグループからの第１の時間領域サンプルのセットの第１の共通オフセットがトラッキングされる。ここでは、第１のセルのグループは、サービス提供セルと、サービス提供セルの第１の範囲内のオフセットを有する少なくとも１つのセルとを備える。ブロック９０１では、第１のセルのグループに割り当てられた第１の変換演算を用いて、第１の時間領域サンプルが、第１の周波数領域シンボルのセットに変換される。ブロック９０２では、第１のセルのグループ内の各セルについて、第１の周波数領域シンボルのセットの第１の個々のオフセットがトラッキングされる。第２のセルのグループからの第２の時間領域サンプルのセットの第２の共通オフセットがトラッキングされる。ここで、第２のセルのグループは、サービス提供セルの第２の範囲内のオフセットを有する少なくとも１つのセルを備える。ブロック９０４では、第２のセルのグループに割り当てられた第２の変換演算を用いて、第２の時間領域サンプルのセットが、第２の周波数領域シンボルのセットに変換される。ブロック９０５では、第２のセルのグループ内の各セルについて、第２の周波数領域シンボルのセットの第２の個々のオフセットがトラッキングされる。
【００６７】
１つの構成では、無線通信のために構成されたＵＥ１２０は、第１のセルのグループに対応する第１の共通オフセットをトラッキングする手段と、ここで、第１のセルのグループは、サービス提供セルと、サービス提供セルの第１の範囲内のオフセットを有する少なくとも１つのセルとを含む；第１のセルのグループに割り当てられた第１の変換演算とオフセットを用いて、複数の時間領域サンプルを、第１の数の周波数領域シンボルに変換する手段と；を含む。ＵＥはさらに、第１のセルのグループ内の各セルの第１の数の周波数領域シンボルの第１の個々のオフセットをトラッキングする手段と；第２のセルのグループに対応する第２の共通オフセットをトラッキングする手段と、ここで、第２のセルのグループは、サービス提供セルの第２の範囲内のオフセットを有する少なくとも１つのセルを含む；第２のセルのグループに割り当てられた第２の変換演算と第２のオフセットを用いて、時間領域サンプルを、第２の数の周波数領域シンボルに変換する手段と；第２のセルのグループ内の各セルの第２の数の周波数領域シンボルの第２の個々のオフセットをトラッキングする手段と；を含む。１つの態様では、前述した手段は、前述された手段によって記載された機能を実行するための、プロセッサ（単数または複数）、コントローラ／プロセッサ４８０、メモリ４８２、受信プロセッサ４５８、ＭＩＭＯ検出器４５６、復調器４５４ａ、およびアンテナ４５２ａでありうる。別の態様では、前述した手段は、前述した手段によって記載された機能を実行するように構成されたモジュールまたは任意の装置でありうる。
【００６８】
図１０は、本開示の１つの態様にしたがって構成されたＵＥ１００１を例示する。ＵＥ１００１は、ヘテロジニアス・ネットワークである無線通信システム１０００内に位置する。ＵＥ１００１は、ｅＮＢ０，１，２および３から信号を受信する。十分に同期していない到着信号を取り扱うために、ＵＥ１００１が、フロントエンドにおいて、複数のＳ／Ｐ  ＦＦＴを有することが望ましいことがありうる。これは、システムが同期しているか、非同期であるか、または、ＵＥがセクタと同期しているセクタ間にあるがこれらセクタ間では非同期であるか、に関わらず生じうる。同期ネットワークでは、信号が移動しなければならない距離によって、信号は、十分に同期していないことがありうる。例えば、ｅＮＢ０，１およびサービス提供ｅＮＢ２からＵＥ１００１が受信した信号が十分近く、これによって、これら信号は、良好な同期を維持することができるようになる。一方、ＵＥ１００１から十分離れたｅＮＢ３からＵＥ１００１によって受信された信号は、ｅＮＢ０，１および２からの信号とは同期しない。ＵＥ１００１がそのフロンドエンド内に単一のＳ／Ｐ  ＦＦＴを備えて構成されている場合、ＵＥ１００１は、ｅＮＢ０，１および２の信号間のオフセットをトラッキングできるだろう。なぜなら、これら信号は、大きくオフセットしていないからである。これら信号のおのおのは、サービス提供ｅＮＢ２のＵＥ１００１のプル・イン範囲内にあるであろう。すなわち、これら信号間のオフセットは、十分小さいので、ＵＥ１００１は、オフセットを調節し、完全な信号を復号することができる。プル・イン領域は、一般には、サービス・セルの信号からの信号サイクリック・プレフィクス（ＣＰ）の距離くらいである。ＵＥ１００１が、ＣＰよりも大きく信号をオフセットさせる必要があるのであれば、基にある信号を復元するために十分な情報を有さないであろう。
【００６９】
例えば、図１１は、ＵＥ１００１のプル・イン範囲内に完全に入るｅＮＢ０，１，２からの第１のＦＦＴ（ＦＦＴ１）を示す。しかしながら、ｅＮＢ３から第２のＦＦＴ（ＦＦＴ２）は、ほとんどがプル・イン範囲の外側に位置する時間において到着する。したがって、この例では、ＵＥ１００１は、ＦＦＴ２によって表される信号を復元することができず、正しくオフセットすることも、恐らくは、除去することさえもできないだろう。
【００７０】
同期ネットワークでは、タイミングは同期されうるが、周波数は同期されない場合がありうる。例えば、クローズド加入者グループ（ＣＳＧ）のフェムトｅＮＢは、しばしば、マクロｅＮＢよりもゆるい基準に組み入れられる。したがって、このようなフェムトｅＮＢの周波数は、信号がＵＥのプル・イン範囲の外側にあるのに十分であるほどオフセットしているポイントへ変動しうる。図１２は、無線通信システム１０００における２つのセルのグループのための２つのＦＦＴシンボルを例示する。ＦＦＴ１は、ｅＮＢ０およびサービス提供ｅＮＢ２から受信されたＦＦＴシンボルを表わす。これらの信号は、ＵＥ１００１のプル・イン範囲内で受信されている。ＦＦＴ２は、ｅＮＢ１およびｅＮＢ３から受信されたＦＦＴシンボルを表わす。これらの信号は、ほとんどがＵＥ１００１のプル・イン範囲の外側の周波数オフセットで受信されている。図１３に例示されるように、ＵＥのＣＰ内に到着する信号が調節され、時間または周波数におけるオフセットが修正されるようになる。信号１３００−１３０２はＣＰ内にあり、もって、単一のＦＦＴフロントエンドを備えるＵＥによって調節されるだろう。しかしながら、図１３に関連付けられたＵＥが、非同期ネットワークにおいて動作し、ＣＰ範囲外の強い信号である信号１３０３を受信した場合、ＵＥは、信号オフセットを修正することも、信号を除去することもできないだろう。
【００７１】
図７および図８に例示されるような態様の例に関して記載されるように、ＵＥ１００１のフロントエンドにおける複数のＳ／Ｐ  ＦＦＴは、高くオフセットされているか、または、同期されていない受信信号を取り扱うのに有益でありうる。このような構成では、ＵＥ１００１は、ｅＮＢ０，１，２を、第１のＳ／Ｐ  ＦＦＴ処理モジュールを用いてトラッキングおよびオフセットされる第１のグループへグループ化し、ｅＮＢ３を、追加のＳ／Ｐ  ＦＦＴ処理モジュールのうちの１つを用いてトラッキングおよびオフセットされる第２のグループへグループ化するであろう。ｅＮＢ０，１，２からの第１のグループにおける信号から実質的なオフセットがあっても、第２のグループは、ｅＮＢ３の信号からの信号を復元できるだろう。ＵＥ１００１は、ｅＮＢ３からの信号を復元した後、この信号を除去するか、あるいは、さらなる処理のために利用しうる。
【００７２】
図１４は、本開示の１つの態様にしたがって構成されたＵＥ１２０を例示する概念的なブロック図である。ＵＥ１２０は、到来信号の初期処理を実行するフロントエンド１４０１を含む。コントローラ／プロセッサ４８０は、フロントエンド１４０１に含まれる構成要素およびモジュールを含む、ＵＥ１２０のすべての機能の制御、管理、および動作を行う。ＵＥ１２０によって生の信号が受信されると、この信号の初期処理および調整がなされた後、１または複数の共通トラッキング／オフセット・モジュール１４０１が、セルの１または複数のグループに対応する共通オフセットをトラッキングする手段を提供する。この構成に依存して、共通トラッキング／オフセット・モジュール１４０１は、周波数領域または時間領域の何れかにおいて、オフセットをトラッキングしうる。このような共通トラッキング／オフセット・モジュール１４０１を有する実施形態では、コントローラ／プロセッサ４８０によって実行されるロジックが、サービス提供セルの信号に近接したオフセットにしたがって、信号をグループ化する。共通トラッキング／オフセット・モジュール１４０１は、特定のオフセットをトラッキングし、これにしたがって、時間領域における信号を修正または調節しうる。
【００７３】
１または複数のシリアル・パラレル高速フーリエ変換（Ｓ／Ｐ  ＦＦＴ）１４０２は、トラッキングされたオフセットと変換演算を用いて、サンプルを、対応する周波数領域シンボルへ変換する手段を提供する。このような２つのＳ／Ｐ  ＦＦＴ１４０２を備えた構成は、フロントエンド内に単一のＳ／Ｐ  ＦＦＴしか備えていないＵＥよりも高い柔軟性を与える。しかしながら、２つよりも多くのＳ／Ｐ  ＦＦＴ１４０２が、本開示の範囲内にあるだろう。
【００７４】
周波数領域に変換されると、複数の個々のトラッキング／オフセット・モジュール１４０３が、グループ化されたセルとともに含まれる個々のセルの信号のシンボル・レベルにおいて個々のオフセットをトラッキングする手段を提供する。共通時間領域信号が、同じアグリゲート時間領域信号内のセルのおのおのからの信号とともにアグリゲート処理される。各グループの共通の信号は、周波数領域に変換されると、関連付けられたセルからの個々の成分信号に分離されうる。周波数領域におけるこれら個々の信号のオフセットは、個々のトラッキング／オフセット・モジュール１４０３によってトラッキングされ調節される。結果として得られる、調節された個々の信号は、ＵＥ１２０によるさらなる処理のために、フロントエンド１４０１から渡される。
【００７５】
当業者であれば、情報および信号は、さまざまな異なる技術および技法のうちの何れかを用いて表されうることを理解するであろう。例えば、前述された説明を通じて参照されうるデータ、命令群、コマンド、情報、信号、ビット、シンボル、およびチップは、電圧、電流、電磁波、磁場または磁性粒子、光学場または光学粒子、あるいはこれらの任意の組み合わせによって表現されうる。
【００７６】
図９における機能ブロックおよびモジュールは、プロセッサ、電子デバイス、ハードウェア・デバイス、電子部品、論理回路、メモリ、ソフトウェア・コード、ファームウェア・コード等、またはこれらの任意の組み合わせを備えうる。
【００７７】
当業者であればさらに、本明細書の開示に関連して記載されたさまざまな例示的な論理ブロック、モジュール、回路、およびアルゴリズム・ステップが、電子工学ハードウェア、コンピュータ・ソフトウェア、あるいはこれらの組み合わせとして実現されることを理解するであろう。ハードウェアとソフトウェアとの相互置換性を明確に説明するために、さまざまな例示的な構成要素、ブロック、モジュール、回路、およびステップが、これらの機能の観点から一般的に記載された。これら機能がハードウェアとしてまたはソフトウェアとして実現されるかは、特定の用途およびシステム全体に課せられている設計制約に依存する。当業者であれば、特定の用途のおのおのに応じて変化する方式で、前述した機能を実現しうる。しかしながら、この適用判断は、本発明の範囲からの逸脱をもたらすものと解釈されるべきではない。
【００７８】
本明細書の開示に関連して記述されたさまざまな例示的な論理ブロック、モジュール、および回路は、汎用プロセッサ、デジタル信号プロセッサ（ＤＳＰ）、特定用途向け集積回路（ＡＳＩＣ）、フィールド・プログラマブル・ゲート・アレイ（ＦＰＧＡ）あるいはその他のプログラマブル論理デバイス、ディスクリート・ゲートあるいはトランジスタ・ロジック、ディスクリート・ハードウェア構成要素、または上述された機能を実現するために設計された上記何れかの組み合わせを用いて実現または実施されうる。汎用プロセッサは、マイクロ・プロセッサでありうるが、代替例では、このプロセッサは、従来のプロセッサ、コントローラ、マイクロ・コントローラ、またはステート・マシンでありうる。プロセッサは、例えばＤＳＰとマイクロ・プロセッサとの組み合わせ、複数のマイクロ・プロセッサ、ＤＳＰコアと連携する１または複数のマイクロ・プロセッサ、またはその他任意のこのような構成であるコンピューティング・デバイスの組み合わせとして実現されうる。
【００７９】
本明細書の開示に関連して説明された方法またはアルゴリズムのステップは、ハードウェアでダイレクトに、プロセッサによって実行されるソフトウェア・モジュールで、またはこの２つの組合せで実施することができる。ソフトウェア・モジュールは、ＲＡＭメモリ、フラッシュ・メモリ、ＲＯＭメモリ、ＥＰＲＯＭメモリ、ＥＥＰＲＯＭメモリ、レジスタ、ハードディスク、リムーバブル・ディスク、ＣＤ−ＲＯＭ、あるいは当該技術で周知のその他任意の形態の非一時的な記憶媒体に存在しうる。典型的な記憶媒体は、プロセッサが記憶媒体から情報を読み取り、また記憶媒体に情報を書き込むことができるようにプロセッサに結合される。あるいは、この非一時的な記憶媒体は、プロセッサに統合されうる。このプロセッサと記憶媒体とは、ＡＳＩＣ内に存在しうる。ＡＳＩＣは、ユーザ端末内に存在しうる。あるいは、プロセッサおよび記憶媒体は、ユーザ端末内のディスクリートな構成要素として存在しうる。
【００８０】
１または複数の典型的な設計では、記載された機能は、ハードウェア、ソフトウェア、ファームウェア、あるいはこれらの任意の組み合わせによって実現されうる。ソフトウェアで実現される場合、これら機能は、コンピュータ読取可能な媒体上に格納されるか、あるいは、コンピュータ読取可能な媒体上の１または複数の命令群またはコードとして送信されうる。コンピュータ読取可能な媒体は、非一時的なコンピュータ読取可能な媒体と通信媒体との両方を含む。これらは、コンピュータ・プログラムのある場所から別の場所への転送を容易にする任意の媒体を含む。非一時的な記憶媒体は、汎用コンピュータまたは特別目的コンピュータによってアクセスされうる任意の利用可能な媒体でありうる。限定ではなく、一例として、このような非一時的なコンピュータ読取可能媒体は、ＲＡＭ、ＲＯＭ、ＥＥＰＲＯＭ、ＣＤ−ＲＯＭまたはその他の光ディスク記憶装置、磁気ディスク記憶装置またはその他の磁気記憶装置、あるいは、命令群またはデータ構造の形式で所望のプログラム・コード手段を伝送または格納するために使用され、かつ、汎用コンピュータまたは特別目的コンピュータ、あるいは、汎用プロセッサまたは特別目的プロセッサによってアクセスされうるその他任意の媒体を備えうる。さらに、いかなる接続も、コンピュータ読取可能な媒体として適切に称される。同軸ケーブル、光ファイバ・ケーブル、ツイスト・ペア、デジタル加入者線（ＤＳＬ）、あるいは、例えば赤外線、無線およびマイクロ波のような無線技術を使用して、ウェブサイト、サーバ、あるいはその他の遠隔ソースからソフトウェアが送信される場合、同軸ケーブル、光ファイバ・ケーブル、ツイスト・ペア、ＤＳＬ、あるいは、例えば赤外線、無線およびマイクロ波のような無線技術が、媒体の定義に含まれる。本明細書で使用されるディスク（ｄｉｓｋおよびｄｉｓｃ）は、コンパクト・ディスク（ｄｉｓｃ）（ＣＤ）、レーザ・ディスク（ｄｉｓｃ）、光ディスク（ｄｉｓｃ）、デジタル多用途ディスク（ｄｉｓｃ）（ＤＶＤ）、フロッピー（登録商標）ディスク（ｄｉｓｋ）、およびブルー・レイ・ディスク（ｄｉｓｃ）を含む。これらｄｉｓｃは、レーザを用いてデータを光学的に再生する。それに対して、ｄｉｓｋは、通常、データを磁気的に再生する。前述した組み合わせもまた、コンピュータ読取可能な媒体の範囲内に含まれるべきである。
【００８１】
本開示の前述した記載は、当業者をして、本開示の製造または利用を可能とするように提供される。本開示に対するさまざまな変形は、当業者に容易に明らかであって、本明細書で定義された一般原理は、本開示の精神または範囲から逸脱することなく、他のバリエーションに適用されうる。このように、本開示は、本明細書で示された例および設計に限定されることは意図されておらず、本明細書で開示された原理および新規な特徴に一致した最も広い範囲に相当するとされている。
【図１】
2013542687.tif 000003
【図２】
2013542687.tif 000004
【図３】
2013542687.tif 000005
【図４】
2013542687.tif 000006
【図５】
2013542687.tif 000007
【図６】
2013542687.tif 000008
【図７】
2013542687.tif 000009
【図８】
2013542687.tif 000010
【図９】
2013542687.tif 000011
【図１０】
2013542687.tif 000012
【図１１】
2013542687.tif 000013
【図１２】
2013542687.tif 000014
【図１３】
2013542687.tif 000015
【図１４】
2013542687.tif 000016
【国際調査報告】
2013542687.tif 000017
2013542687.tif 000018
2013542687.tif 000019